(57)【要約】中央コンピュータ化データストア、ユーザーインターフェース、およびデータストアから複数の小売施設および複数の農業製品供給業者へのネットワーク接続を有する種子処理システム。各小売施設は、任意の種々の正確に秤量された化学製剤で、種子のバッチを均一に処理するように構成された種子処理システムを有する。種子処理装置は、複数の供給ステーションに連結した処理適用器を有する。各供給ステーションは、はかり上に配置された容器と連通するポンプを有する。各供給ステーションのポンプおよびはかりは、システムコントローラに連結される。システムコントローラは、データストアに連結され、塗布器にオンデマンド農業種子処理を提供し、化学物質利用データを各ステーションからデータストアへ提供するように構成される。データストアは、集中型遠隔モニタリング在庫制御、供給チェーンモニタリングおよび容器再利用コンプライアンスを提供するように構成される。
2014501519.tif 000002
【特許請求の範囲】
【請求項１】
小売店顧客への処理した種子の送達のための、小売店種子処理施設での種子の処理の方法であって、
レシピを選択することと、
前記レシピにしたがって、複数のそれぞれの流体ラインを通して、複数の樽から、特定され、個別化された流速にて、液体種子処理製剤を同時に供給することと、
種子処理機を通して、測定された種子の流れを提供することと、
前記それぞれの流体ラインを混合して、混合流体ラインとすることであって、前記混合流体ラインが、前記測定された種子の流れ上に噴霧するために、種子処理機に、前記混合流体を提供することと、
前記処理した種子を、回転シリンダ内で混合することと、
前記小売店種子処理施設にて、前記小売店顧客へ種子を配達すること、または前記小売店顧客の種付場所へ前記種子を配達すること、または前記小売店顧客による引取のために、種子を一時的に保管することのうちの１つ、
を含む、方法。
【請求項２】
プログラム可能なシステムコントローラ中に格納された前記レシピに基づいて、各樽からの特定された個々の流速を制御することをさらに含み、前記プログラム可能なシステムコントローラが、多数の樽のそれぞれにおけるポンプと通信する、請求項１に記載の方法。
【請求項３】
前記流体が供給される時に、各樽の重さを測定するためのはかりを含む樽ステーションに、複数の樽のそれぞれの樽を配置することをさらに含む、請求項１または２に記載の方法。
【請求項４】
各ポンプによって提供される、推定された特定された流速を、前記流体が供給された時の、各樽中の流体の重量の減少に基づいて測定された流速に対して、前記プログラム可能なシステムコントローラで比較することをさらに含む、請求項３に記載の方法。
【請求項５】
前記レシピにしたがって、前記混合流体ラインに、測定された流速の水をさらに提供し、少なくとも大気湿度および処理している種子の水分含量のうちの少なくとも１つに基づいて、水の前記流速を変化させる、請求項１〜４のいずれか１項に記載の方法。
【請求項６】
実質的に前記種子が落下している間のみ、前記混合流体の噴霧を制御することをさらに含む、請求項１〜５のいずれか１項に記載の方法。
【請求項７】
前記プログラム可能なシステムコントローラからのデータに基づいて、前記小売店種子処理施設にて報告書を印刷することであって、前記報告書が、塗布した液体種子製剤の価格および量を含むことと、前記報告書を前記顧客に提供することとを含む、請求項１〜６のいずれか１項に記載の方法。
【請求項８】
処理した種子に関するデータを、ネットワークによって、遠隔場所に送信すること、およびさらなる種まきシーズンでのアクセスのために前記処理した種子に関するデータを保存することをさらに含む、請求項１〜７のいずれか１項に記載の方法。
【請求項９】
５〜５０ガロン（１９Ｌ〜１８９Ｌ）の容量を有する複数の樽を提供することを含む、請求項１〜８のいずれか１項に記載の方法。
【請求項１０】
複数の樽のそれぞれを、攪拌モータによって定期的に攪拌することをさらに含む、請求項１〜９のいずれか１項に記載の方法。
【請求項１１】
種子処理施設での、複数の地元の栽培者からの第一注文および続く注文を含む、連続する一連の種子処理注文を処理する方法であって、
少なくとも１つの種子処理化学物質供給業者から、複数の異なる種子処理製剤を有する、多数の同じ大きさの樽を受領し、小売種子処理施設にて、オンサイトで多数の樽を保存することと、
少なくとも１つの種子会社から、複数の異なる種類の種子のバルク量を受領し、前記バルク量をオンサイトで保存することと、
前記第一の種子処理注文を、種子処理システムのプログラム可能処理コントローラに入力することであって、前記注文がレシピ選択と種子量を含み、前記種子処理システムが、種子処理機、樽ステーションの列を含み、各樽ステーションが、前記種子処理機に連通し、前記プログラム可能な処理コントローラが、前記種子処理機および前記樽ステーションの列と動作可能に通信することと、
前記樽ステーション内に、複数の多様な樽を積載して、前記樽を前記樽ステーションに連通させることによって前記樽が前記種子処理機へ連通されることと、
前記プログラム可能処理コントローラの制御下、樽ステーションを操作して、前記第一の注文の前記レシピにしたがって、複数の樽の同時供給を提供することと、
前記第一の注文の量にしたがって、複数の樽の同時供給からの流体によってコーティングされるべき種子の流れを、種子処理機を通して提供するために、プログラム可能な処理コントローラの制御下、前記種子処理機を操作することと、
前記第一の注文の量がコーティングされた時に、多数の樽の同時供給を停止することと、
前記続く注文のそれぞれに対して上記段階を繰り返すことと
を含む方法。
【請求項１２】
各樽のバーコードまたはＲＦＩＤタグののうちの１つをスキャンすることによって、受領する時に、樽の在庫確認をすることをさらに含む、請求項１１に記載の方法。
【請求項１３】
各それぞれの樽ステーション上に積載する時に、各樽をスキャンすることをさらに含む、請求項１１または１２に記載の方法。
【請求項１４】
前記樽ステーションのそれぞれの上に置かれている間に、各樽の重量を測定して、各樽中の流体の量を計算すること、および前記種子処理システムのオペレータに、上記に関する情報を提供することをさらに含む、請求項１１〜１３のいずれか１項に記載の方法。
【請求項１５】
第一の注文および各続く注文に対して、プログラム可能なシステムコントローラから印刷された報告書を提供すること、および地元の栽培者に前記注文を丁寧に提供することをさらに含む請求項１１〜１４のいずれか１項に記載の方法。
【請求項１６】
各注文および各それぞれの栽培者に対して、前記種子処理施設にて、前記栽培者に種子を配達すること、または前記種子を、前記栽培者の種付場所へ配達すること、または前記栽培者による引取のために、種子を一時的に保管することのうちの１つをさらに含む、請求項１１〜１５のいずれか１項に記載の方法。
【請求項１７】
樽が空になった後、前記樽をスキャンすること、および前記樽をリサイクルセンターに戻すことをさらに含む、請求項１１〜１５のいずれか１項に記載の方法。
【請求項１８】
特定の樽の内容物量が、特定の種子バッチを処置するために不十分である場合、および樽の内容物量が所定レベルより低くなる場合に、アラームが提供される、請求項１〜１７のいずれか１項に記載の方法。
【請求項１９】
前記レシピにしたがって、混合流体ラインへ測定された流速の水を提供すること、ならびに、大気湿気および処理している種子の水分含量のうちの少なくとも１つに基づいて、前記水の流速を変化させることをさらに含む、請求項１〜１８のいずれか１項に記載の方法。
【請求項２０】
種子処理機施設にて、種子処理の注文を処理する方法であって、
少なくとも１つの種子処理化学物質供給会社から、多数の同じ大きさの樽を受領することであって、前記樽の大きさは、５〜２５ガロン（１９Ｌ〜９５Ｌ）および約３０ガロン（約１１４Ｌ）のうちの１つであり、それぞれが、２つの最上壁上部アクセスポートを有し、前記多数の樽が、複数の異なる種子処理製剤を含むことと、
使用まで、小売店種子処理施設にて、オンサイトで前記多数の樽を保存することと、
樽上の前記２つの最上壁上部アクセスポートの１つに連結する供給ヘッドによって独占的に少なくとも１つの樽中で、前記種子処理製剤にアクセスすることと、
独占的に種子処理機の閉鎖領域内に、少なくとも１つの樽中の前記種子処理製剤を供給することによって、種子処理施設の職員が、前記種子処理注文の処理の間、前記樽中の液体種子処理製剤に曝露されないことと
を含む方法。
【請求項２１】
少なくともいくつかの樽が、内部に提供された攪拌機構を有し、モータドライブが、前記攪拌機構に取り付けられている、請求項２０に記載の方法。
【請求項２２】
前記種子処理製剤の供給は、複数の樽から同時に供給することを含み、それぞれが１つの流速を含む、請求項２１に記載の方法。
【請求項２３】
複数の樽からの前記供給のそれぞれが、複数の樽からの他の供給に対して、比例した流速で行われ、前記比例した流速が、種子処理レシピに従う、請求項２２に記載の方法。
【請求項２４】
各流速が、２つの別のパラメータによって測定される、請求項２０〜２３のいずれか１項に記載の方法。
【請求項２５】
種子処理機施設において種子処理注文を処理する方法であって、
少なくとも１つの種子処理化学物質供給会社から多様な手動で操作可能な樽を受領することであって、前記樽が、複数の異なる種子処理製剤をその中に有し、少なくとも前記樽のうちのいくつかが、内部に提供された攪拌機構を有することと、
使用まで、小売種子処理施設にて、オンサイトで前記多様な樽を保存することと、
樽の最上部のポートと連結するための供給ヘッドによって独占的に、樽中の種子処理製剤にアクセスすることと、
複数の樽の外側のモータで、複数の樽を攪拌することと、
樽中の種子処理製剤を、種子処理機の閉鎖領域内に供給することによって、職員が前記供給によって樽内の液体製剤に曝露されることがないことと
を含む方法。
【請求項２６】
種付のための、小売店顧客への処理した種子の配達のための種子処理施設であって、
貯蔵エリア、操作エリアおよび顧客アクセスエリアと、
前記貯蔵エリア中の前記施設で保存される、複数の種子処理製剤を有する手動で操作可能な樽のストックと、
前記施設における前記操作エリア中の複数の樽ステーションであって、各樽ステーションが、手動で操作可能な樽の選択されたストックの１つ、および前記プラットフォーム上で樽に連結するための流体カップリングを有する、複数の樽ステーションと、
前記操作エリア中、種子処理製剤入口、種子入口、処理部分、混合部分、および処理種子排出部分を有する連続フロー処理種子処理機とを含み、
前記樽ステーションのそれぞれは、前記入口と連通した流体ラインを有することによって種子処理製剤が、前記種子処理製剤入口へ、前記それぞれの流体ラインを通して前記樽ステーションのいずれか１つにおける樽から供給され得、それによって、前記種子処理製剤の手動混合はなく、オペレータの前記種子処理製剤への曝露が最小化される、
種子処理施設。
【請求項２７】
バルク種子貯蔵場所と、前記連続フロー処理種子処理機へバルク種子貯蔵物の流れを機械的に搬送するための搬送装置をさらに含み、前記搬送装置が、種子処理機まで伸びる、請求項２６に記載の種子処理施設。
【請求項２８】
ユーザーインターフェースを有し、前記種子処理機と各樽ステーションとに動作可能に連結する、プログラム可能な処理コントローラをさらに含み、前記コントロールプロセッサが、レシピにしたがって、前記種子処理機への複数の樽ステーションの種子処理製剤の同時供給を制御する、請求項２６または２７に記載の種子処理施設。
【請求項２９】
各樽ステーションが、前記処理コントローラによって制御される可変流速ポンプと、前記樽受領領域を部分的に画定するはかりを有し、前記はかりが、前記処理コントローラに連結し、樽ステーションプラットフォーム上にある樽中の種子処理製剤の重量欠損が、樽中の前記種子処理製剤が供給される際にモニタリングされうる、請求項２６〜２８のいずれか１項に記載の種子処理施設。
【請求項３０】
前記処理コントローラが、重量欠損のモニタリングを利用して、それぞれのポンプ性能を検証するようにプログラムされる、請求項２８または２９に記載の種子処理施設。
【請求項３１】
前記樽ステーションがそれぞれラック部分を含み、そのラック部分には、樽受領領域の上に位置するポンプが取り付けられている、請求項２６〜３０のいずれか１項に記載の種子処理施設。
【請求項３２】
前記処理コントローラが、種子処理操作に関するデータを送信するため、および種子処理製剤を混合するためのレシピを含むデータを受信するためにネットワークに連結する、請求項２８〜３２のいずれか１項に記載の種子処理施設。
【請求項３３】
複数の樽ステーションのいずれかの上に存在している樽をスキャンするための、処理コントローラに動作可能に連結するスキャナをさらに含む、請求項２８〜３２のいずれか１項に記載の種子処理施設。
【請求項３４】
種付のために、小売店顧客への処理した種子の配達のための種子処理施設であって、
手動で操作可能な樽のストックであって、前記樽はそれぞれ複数の種子処理製剤の１つを有する、樽のストックと、
前記施設にて配置された樽ステーションの列であって、各供給ステーションが、手動で操作可能な樽のストックの選択された１つを受領するための受領領域、前記１つに連結するための流体カップリング、および前記１つにおける前記種子処理製剤を前記１つから送り出すための流体カップリングに連結したポンプを有する、樽ステーションの列と、
種子入口、処理部分および処理した種子排出部分を有する、連続フロー処理種子処理機と、
前記種子処理機の処置部分まで伸張している混合連結管と
を含む施設であって、
前記樽ステーションのそれぞれが、前記混合連結管に連結している流体ラインを有し、それによって流体が、前記混合連結管へ、そして前記種子処理機の処理部分内に、前記それぞれの流体ラインを通して、いずれか１つの樽ステーションにおける樽から供給されうる、施設。
【請求項３５】
種付のための、小売店顧客への前記処理した種子の配達のための種子処理施設であって、
前記施設にて保存された複数の種子処理製剤を有する、手動で操作可能な樽のストックと、
種子入口、処理部分、および処理した種子排出部分を有する種子処理機と、
前記施設にて配置された樽ステーションの列であって、各供給ステーションが、手動で操作可能な樽のストックのうちの選択された１つを受領するための受領プラットフォームと、前記プラットフォーム上に位置した樽に連結するための流体カップリングと、前記樽の内容物を含むプラットフォーム上に位置する樽の重量を測定するための重量測定機構と、校正したポンプとを有し、樽ステーションの列が、前記種子処理機に連通する、樽ステーションの列と、
それぞれの校正したポンプのポンピング速度を制御するため、および各樽ステーションにおける樽の重量測定に関する信号を受信するため、コントロールプロセッサ中に格納された複数の製剤レシピの１つ、またはコントロールプロセッサ内への入力にしたがって、樽ステーションの複数の前記ポンプの同時選択を選択的に操作するため、および前記種子処理機の操作を制御するための、前記種子処理機に、および樽ステーションの列の各樽ステーションに連結したコントロールプロセッサ
を含む施設。
【請求項３６】
小売種子販売事業を実施する方法であって、
バルク穀物を種子会社から購入して、前記小売種子販売者の施設に配達させることと、
少なくとも１ダースの樽に含まれる複数の種子処理製剤化学物質を購入することおよび受領することであって、樽は、７〜３０ガロン（２４Ｌ〜１１４Ｌ）の容量であることと、
顧客からの種子処理注文に応じることであって、各注文は種子処理製剤レシピと種子の量を含み、種子処理注文に応じることは、前記レシピ中の製剤要素に対応する複数の樽からの内容物を、前記レシピにしたがう割合の速度にて、種子処理機内に供給し、注文された量の種子の流れをコーティングすることと、注文された種子の量の終了時に同時に供給を停止することによって行われることと、
農場主に報告書を提供し、処理した種子を、種子の量、および塗布した種子処理製剤に基づいた購入価格で販売することと、
顧客に種子を配達することと
を含む方法。
【請求項３７】
空になるか、または空に近くなった時に、前記樽をリサイクル施設に送ることをさらに含む、請求項３６に記載の小売種子販売事業を実施するための方法。
【請求項３８】
プログラム可能な制御プロセッサを使用して、前記レシピにしたがって、複数の樽の内容物の供給を制御すること、および２つの異なるパラメータを用いることによって供給された内容物の量を確認することをさらに含む、請求項３６または３７記載の小売種子販売事業を実施するための方法。
【請求項３９】
小売顧客への前記処理した種子の配達のための、小売種子処理施設にて種子を処理する方法であって、
プログラム可能なシステムコントローラに連結したユーザーインターフェースからレシピを選択することと、
前記プログラム可能な処理コントローラによって制御された、そして前記選択されたレシピにしたがって、特定された個々の流速にて、複数の供給ステーションから、前記レシピにしたがって複数のそれぞれの流体ラインを通して、液体種子処理製剤を同時に供給することと、
前記プログラム可能な制御プロセッサによって制御して、前記種子処理機を通して、測定された種子の流れを提供することと、
前記それぞれの流体ラインを混合して混合流体ラインとすることであって、前記混合流体ラインが、測定された種子の流れ上に噴霧することによって処理した種子を提供するために、種子処理機に前記混合流体を提供すること、および
前記処理した種子を、回転シリンダ内で混ぜること、
を含む、方法。
【請求項４０】
種子を、小売種子処理施設にて、小売顧客に配達すること、または小売顧客の種付場所へ前記種子を配達すること、または小売店顧客による引取のために、種子を一時的に保管することのうちの１つをさらに含む、請求項３９に記載の方法。
【請求項４１】
すべての供給ステーションを１つまたはそれ以上の列に並べることと、それぞれの供給ステーションにはかりを提供することと、供給ステーションの１つまたはそれ以上の列から伸張している流体ラインに対して、前記種子処理機に向かう前記種子処理流体を制限することとをさらに含む、請求項４０に記載の方法。
【請求項４２】
種子処理施設にて種子を処理する方法であって、
プログラム可能なシステムコントローラに連結したユーザーインターフェースからレシピを選択することと、
前記プログラム可能な処理コントローラによって制御された、そして前記プログラム可能な処理コントローラによって選択された、複数の供給ステーションから選択されたレシピにしたがって個別化された液体種子製剤を、供給ステーションの列から、前記種子処理機へ同時に供給することであって、各供給ステーションが、前記プログラム可能な処理コントローラによって制御されたポンプと、前記供給ステーションにて、流体の重量をモニタリングするために、プログラム可能な処理コントローラに連結したはかりを有し、それによって供給が、前記プログラム可能な処理コントローラによって選択されたポンプステーションでの、ポンプの操作によって提供されることと、
各前記ポンプの操作の間に、流体の重量を同時にモニタリングすることによって、各ポンプの操作を検証することと、
前記プログラム可能な処理コントローラによって制御された前記種子処理機中で種子を処理することと、
前記種子処理機に向かう前記種子処理流体を、供給ステーションの列から伸張している流体ラインへ制限することと
を含む、方法。
【請求項４３】
各供給ステーションからのそれぞれの流体ラインを前記種子処理機の近位での連結管にて混合して、混合流体ラインとすることをさらに含む、請求項４２に記載の種子処理施設にて種子を処理する方法。
【請求項４４】
小売種子処理施設にて、小売顧客に前記処理した種子を配達することを組み合わせることをさらに含む、請求項４２に記載の種子処理施設にて種子を処理する方法。
【請求項４５】
各供給ステーションにて、前記プログラム可能な処理コントローラによって、流体を含む樽の枯渇をモニタリングし、空になった時、または空になりつつある時、その特定の樽を、流体が空になっていない他の樽と交換して、前記プログラム可能な処理コントローラ内に、設置に関するデータを入力することをさらに含む、請求項４２に記載の種子処理施設にて種子を処理する方法。
【請求項４６】
種子処理システムであって、
液体化学物質の容器を受領するための受領領域を有する複数のポンプステーションであって、各ポンプステーションが、はかりとポンプを有する、複数のポンプステーションと、
前記ポンプコントローラと、各複数のポンプステーションのはかりに電子的に連結した、プログラム可能システムコントローラであって、前記プログラム可能システムコントローラは、複数の前記ポンプステーションのそれぞれのはかりから読み取った重量を受領し、および種子処理レシピに対応して、各ポンプ送達を制御するよう構成された、プログラム可能システムコントローラと、
複数の化学製剤を均一に、多量の種子に塗布するように構成され、各ポンプステーションと連通する種子処理機とを含み、
前記プログラム可能なシステムコントローラが、コンピュータネットワークに動作可能に連結し、種子処理製剤に関するデータを受信および送信するように構成される、種子処理システム。
【請求項４７】
各ポンプステーションが、前記ポンプおよび前記プログラム可能システムコントローラに連結したポンプコントローラを有する、請求項４６に記載の種子処理システム。
【請求項４８】
前記プログラム可能システムコントローラに動作可能に連結したバーコードスキャナをさらに含み、前記バーコードスキャナが、前記化学物質の容器と関連した少なくとも１つのバーコードを読み取るように構成され、前記プログラム可能システムコントローラが、バーコード番号を受信および在庫データベースに保存するように構成される、請求項４６に記載の種子処理システム。
【請求項４９】
前記プログラム可能なコントローラに動作可能に連結した無線自動識別（ＲＦＩＤ）読み取り機を含み、前記ＲＦＩＤは、前記化学物質の容器に添付されたＲＦＩＤタグを読み取るように構成され、ＲＦＩＤタグ内に保存された一組のデータが、報告書作成および在庫管理のために、前記プログラム可能システムコントローラに対して表示される、請求項４６に記載の種子処理システム。
【請求項５０】
前記ＲＦＩＤ読み取り機が、複数のポンプステーションのそれぞれに取り付けられ、前記システムコントローラが、前記ＲＦＩＤ読み取り機が前記ポンプステーションのはかり上に位置する樽と関連したＲＦＩＤタグを読み取ることができる時にのみ前記ポンプステーションのポンプが操作されるように構成される、請求項４６に記載の種子処理システム。
【請求項５１】
空気除去弁が、複数のポンプステーションのそれぞれに取り付けられ、ポンプおよび化学物質の容器と連通する、請求項４６〜５０のいずれか１項に記載の種子処理システム。
【請求項５２】
前記プログラム可能コントローラが、コンピュータネットワークを介して、種子処理の間に収集された選択データを報告するようにさらに構成される、請求項４６〜５１のいずれか１項に記載の種子処理システム。
【請求項５３】
種子処理の間に前記プログラム可能コントローラにより収集されるデータが、以下の組のうちの少なくとも１つを含む、請求項４６〜５２のいずれか１項に記載の種子処理システム：
各容器からポンプされた化学物質の重量
各ポンプステーションのポンプの動作時間の長さ
動作中の各ポンプステーションのポンプの平均速度、および
種子のバッチに塗布した化学物質の量。
【請求項５４】
各ポンプステーションがさらに、支持フレームを含み、前記支持フレームが、前記液体化学物質容器に対する受領領域上の位置にて、それぞれのポンプを支持する、請求項４６〜５３のいずれか１項に記載の種子処理システム。
【請求項５５】
はかり、前記はかり上に位置する混合タンク、前記混合タンクと連通するポンプ、前記混合タンクへ向けられた水供給ライン、およびポンプコントローラを有する混合ステーションをさらに含み、前記ポンプコントローラが、前記ポンプを操作するように構成される、請求項４６〜５４のいずれか１項に記載の種子処理システム。
【請求項５６】
個々の種子処理場にて、各複数の処理化学物質の消費をモニタリングすることをさらに含む、請求項４６〜５５のいずれか１項に記載の種子処理システム。
【請求項５７】
種子処理場で、環境条件を測定することをさらに含む、請求項４６〜５６のいずれか１項に記載の種子処理システム。
【請求項５８】
前記環境条件が、温度および湿度のうちの１つである、請求項５７に記載の方法。
【請求項５９】
種子を分配する方法であって、
ある量の未処理種子を、小売卸センターに提供することと、
前記小売卸センターにて、複数の化学物質種子製剤を提供することであって、各化学物質種子製剤は、個々の樽中に保存されることと、
化学物質種子製剤の塗布の前に、各樽の重量を測定することと、
複数の化学種子製剤のうちの１つまたはそれ以上を、前記ある量の未処理種子の一部に同時に塗布することと、
化学物質種子製剤の塗布後に、各樽の重量を測定することと、および
前記種子の一部に塗布された前記複数の化学物質種子製剤のうちの１つまたはそれ以上のそれぞれの体積を計算することと、
を含む種子を分配する方法。
【請求項６０】
前記種子の一部に塗布された前記複数の化学物質種子製剤のうちの１つまたはそれ以上のそれぞれの体積を含む報告書を提供することをさらに含む、請求項５９に記載の分配する方法。
【請求項６１】
処理した種子の購入者に報告書を印刷して提供することと、小売卸センターにて、データを保存することと、インターネットによって、少なくとも１つの遠隔受領者に、データを選択的に送ることとをさらに含む、請求項６０に記載の方法。
【請求項６２】
少なくとも１つの遠隔受領者によって、データを選別し、まとめること、およびさらにインターネットによって、第四の受領者に、選択され、まとめられたデータを送ることをさらに含む、請求項６１に記載の方法。
【請求項６３】
種子処理製剤で満たした最大３０ガロン（１１４Ｌ）の樽を受領するための樽ステーションであって、
最大３０ガロン（１１４Ｌ）の大きさの樽を受領するためのプラットフォームを備えるベース部分であって、前記プラットフォームが、それに連結したロードセルを有する、ベース部分と、ベース部分の後方部から伸張した直立支持構造部分であって、前記ベース部分と直立支持構造が、最大３０ガロン（１１４Ｌ）の大きさの樽を受領するための大きさとされる樽受領領域を画定する、直立支持構造部分と、前記樽受領領域の上で、前記支持構造に接続したポンプとを含み、ベース部分は、フロア係合表面を有し、プラットフォームはフロア係合表面の近位に位置することによって、最大３０ガロン（１１４Ｌ）の大きさの樽が、その上に樽ステーションが位置する床からプラットフォーム上に手動で持ち上げられ得る、樽ステーション。
【請求項６４】
前記樽ステーションは、前記ポンプの入口に連結した供給ヘッドを有する。
【請求項６５】
前記ポンプステーションはモータを含み、前記樽ステーションは前記支持構造に取り付けられ、前記モータに連結したモータコントローラをさらに含む。
【請求項６６】
前記樽ステーションはさらに、空気除去バルブとフィルタを有する。
【請求項６７】
各樽ステーションが、最大３０ガロン（１１４Ｌ）の大きさの樽上の攪拌ポートに連結するように適合したモータを有する。
【請求項６８】
供給ステーションが１つ以上の列で配置される、請求項６３〜６７のいずれか１項に記載の複数の樽ステーションを含む、供給ステーションの列。
【請求項６９】
少なくとも１つの混合ステーションをさらに含み、前記混合ステーションが、ベース、流体を受領するための混合ボウル、前記混合ボウルから流体をポンピングするためのポンプ、前記混合ボウル中の内容物重量を測定するためのロードセルを含む、請求項６８に記載の供給ステーションの列。
【請求項７０】
種子処理液体製剤の閉じ込めを制御する方法であって、
化学物質配布場所から地理的に離れた利用場所にて、化学物質供給場所から複数の樽中の種子処理化学物質の液体製剤を受領することと、供給ヘッドを、複数の樽中に挿入し、前記複数の樽から、連続流れ種子処理機へ直接、レシピにしたがって、測定された比例速度で、同時に液体を機械的にポンプすることとを含み、前記連続流れ種子処理機は、混合のために、それに取り付けられた連結管を有する、方法。
【請求項７１】
複数の樽を使用場所に配送し、前記複数の樽を、１つ以上の前記複数の樽からの内容物を、種子処理機に同時にポンピングできるように、種子処理機に連結することをさらに含む、請求項７０に記載の方法。
【請求項７２】
前記種子処理機に、前記樽の内容物の特定の製剤のレシピを、インターネット上で送信することをさらに含む、請求項７０または７１に記載の方法。
【請求項７３】
前記種子処理機への、それぞれの樽の内容物のポンピングの間、前記樽の重量の減少をモニタリングすることをさらに含む、請求項７０〜７３のいずれか１項に記載の方法。
【請求項７４】
前記重量測定段階のモニタリングが、
内容物がポンピングされる時に、それぞれの樽の重量が減少する際、重量データを電子的に発生させ、送信すること、
を含む、請求項７３に記載の方法。
【請求項７５】
特定の樽の内容物量が、特定の種子バッチを処理するのに不十分な時、または樽の内容物量が、所定レベルよりも低くなる時に、アラームが提供される、請求項７０〜７４のいずれか１項に記載の方法。
【請求項７６】
はかりを含む種子ステーション上に、複数の樽のそれぞれを設置することによって、各樽の重量がモニタリングされ得ることをさらに含む、請求項７０〜７５のいずれか１項に記載の方法。
【請求項７７】
各パッケージされた樽に、バーコードまたはＲＦＩＤのうちの１つでラベル付けし、前記バーコードまたはＲＦＩＤタグは、標識された樽の内容物に関するデータを含む、請求項７０〜７６のいずれか１項に記載の方法。
【請求項７８】
前記種子処理機にて、前記バーコードまたはＲＦＩＤタグを読み取ることをさらに含む、請求項７７に記載の方法。
【請求項７９】
前記種子処理機での樽の受領に際し、および樽を樽ステーション上に配置する時に、前記バーコードまたはＲＦＩＤを読み取ることをさらに含む、請求項７８に記載の方法。
【請求項８０】
各特定の樽からの内容物を供給しているポンプを制御すること、およびモニタリングすることによって、樽のそれぞれのポンピングをモニタリングする段階をさらに含む、請求項７０〜７９のいずれか１項に記載の方法。
【請求項８１】
ポンプに連結された複数の樽と、前記ポンプを連続フロー種子処理機に直接連結し、種子レシピにしたがって、比例速度にて同時に、多数の樽を供給する、流体ラインと、を含む、種子処理システム。
【請求項８２】
複数のはかりを含み、前記樽の一部の内容物が前記種子処理機に供給される間、複数の樽のそれぞれの重量についての電子情報を提供する、請求項８０に記載の種子処理システム。
【請求項８３】
それぞれ種子処理液体製剤を含む複数の樽を含み、各樽が別々のポンプに連結しており、各樽が、そこから供給された種子処理液体製剤の量をモニタリングするために、はかり上に配置される、種子処理システム。
【請求項８４】
３０ガロン（１１４Ｌ）以下の容量の複数のポリエチレン樽を備え、それぞれの樽が種子処理製剤を含み、それぞれがポンプに連結され、それぞれがはかり上に配置され、それによって、各樽に結合したポンプが操作される間、複数の樽のそれぞれの重量がモニタリングされ得る、種子処理システム。
【請求項８５】
各ポンプおよび各はかりが、ポンピングを電子的にモニタリングするため、および制御するために、制御プロセッサに連結される、請求項８４に記載の種子処理システム。
【請求項８６】
種子を処理する方法であって、
レシピにしたがって、塗布時点で、複数の処理化学物質を混合して、混合物を形成することと、
前記処理化学物質の混合物を、未知の量の種子の流れに塗布することと、
前記流れが終了する時に塗布を停止することと、
未知の量の種子に塗布した処置化学物質の量のそれぞれの重量を決定することと、
前記化学物質の塗布の完了に際して、未知の量の種子に塗布した処置化学物質の量のそれぞれに対して、消費した量（体積）を計算することと
を含む、方法。
【請求項８７】
処理化学物質のそれぞれの消費量（体積）をデータベースに報告することを含み、前記コンピュータデータベースが、有形のコンピュータ読み取り可能媒体中に格納される、請求項８６に記載の方法。
【発明の詳細な説明】
【技術分野】
【０００１】
（関連明細書）
本出願は、２０１０年１２月８日に出願された米国特許仮出願第６１／４２１，０３０号、２０１１年３月３０日に出願された第６１／４６９，４３２号、２０１１年３月３０日に出願された第６１／４６９，３７０号、２０１１年１０月３１日に出願された第６１／５５３，７１１号、および２０１１年１０月３１日に出願された第６１／５５３，６９２号の優先権を主張し、それぞれその全てが参照によって本明細書に組み込まれている。
【０００２】
本発明は、種子処理産業における、環境への責務および人員保護に関する。より詳しくは、本発明は一般に、特注処理種子の小売販売に好適な種子処理センター、方法および装置に関する。
【０００３】
本発明はまた、一般に農業種子製品の処理および販売に関する商品およびサービスに対する料金の決定のための、より具体的には、種子のバッチへの処理レシピ中１つまたはそれ以上の成分製剤の正確な塗布および種子のバッチに塗布するレシピの各成分製剤の実際の量に対して課金するためのシステムおよび方法に関する。
【背景技術】
【０００４】
農業および他の目的のために植えられる種子は、種付の前にしばしば処理される。処理は、種子の品質を落としうるか、または土壌中に存在しうる、標的細菌、かびおよび真菌を攻撃することを含む、種々の目的を達成し得る。また、種子処理には、殺虫剤、農薬が含まれてよく、種子を標的とする昆虫および他の動物害虫の抑止または予防を提供可能である。処理はまた、肥料も提供可能である。種子処理を直接施すことにより、多くの有益な効果のために、種付の後に土壌に塗布する形で必要とされる処理組成物の量の減少を可能にする。種付後の塗布は、効果的であるレベルまたは位置まで土壌に浸透しない可能性があり、気候に依存し、種子の直接塗布ほど経済的でない可能性がある。種子の配送が現在、中央生産施設にて、種々の化学肥料、農薬または除草剤で処理された種子を農業主へ配達することによって成し遂げられている。
【０００５】
種付前の種子の処理はしかしながら、高価な化学物質および他の試薬の塗布が含まれ、環境または作業者に毒性でさえありうる。バッチまたは連続フロー処理モードでの種子の処理のための種々のデバイスが公知である。参考によって本明細書に組み込まれている開示物である、Ｌｕｎｄによる特許文献１は、コーティング流体を塗布するための種子コーティング装置を記述しており、それによって種子が、種子分配部材で分配される。参考によって本明細書に組み込まれている開示物である、Ｍｕｅｌｌｅｒによる特許文献２は、種子がドレッシング剤の噴射を通して分配コーン上に導かれ、そして回転テーブル上へ導かれる、種子をドレッシング処理するための工程および装置を記述する。参考によって本明細書に組み込まれている開示物である、Ｎｉｋｌａｓによる特許文献３は、高速、マルチターンアクチュエータに連結した混合ボウルを備えるデバイスと、前記混合ボウル内に種子を供給するための機構を記述している。参考によって本明細書に組み込まれている開示物である、特許文献４および特許文献５は、処理製品または組成物を、ある容量の種子に塗布するために利用可能な種々の種子処理装置を開示している。
【０００６】
望まない化学物質廃棄物が、正確な制御なしに種子のバッチに過剰な処理製品を塗布することによって発生しうる。人による取り扱い、例えば種々の化学物質または製剤をスラリーまたは混合タンクに注ぐことにより、結果として、環境汚染を引き起こしうる、不正確な測定による、漏出または未使用化学物質廃棄物が発生しうる。処理製品が非常に高価であり得る、たとえば１ガロンあたり数百ドルであるので、望ましくない人への曝露のリスクに加えて、大きな経済的損失となりうる。そのような化学物質廃棄物がまた、環境ハザードとなりうる。したがって、とりわけ種子を処理し、個々の農家の顧客に販売する小売レベルにて、廃棄物を最小化するため、処理均一性を確かにするため、コストを最小化するため、および漏出を防止するために、種子に塗布される処理製品の量を含む、制御するおよび自動化する改善された方法の必要性が存在する。
【０００７】
特定のコンピュータ化された大規模種子処理機が、集中型卸センターにて、大きなバッチの種子を処理可能である。しかしながら、そのような装置は高価であり、一般的に、小売レベルでの利用に好適ではない。さらに、中央施設と、当該種子の最終的な種付間での処理した種子の輸送によって引き起こされる遅延が、種子に施された処理の最適な効果を減少しうる。いくつかの処理が種子に同時に施される製剤を含む、特定の処理のために、種子を、最適な効果のために、非常にすぐに、塗布後数時間以内に植える必要がある。これは、既存の種子処理機では問題であり、そのような処理制御は、高価で、典型的には、小売場所にて、多数の個々のユーザーのための繰り返しのおよび迅速な種子バッチの処理には簡単に使用されない。
【０００８】
そのような小売場所において、種子処理能力がある場合、種子をコーティングするための化学品スラリーを開放型混合ボウルまたはタンク中で混合し、これはしばしば、人材が開放型混合ボウルに加えられる特定の液体成分を実際に測定することを要する。そのような液体化学物質／製剤は手動で取り扱われ、手動でタンク内に注がれうる。ついで、タンク中の液体を、理想的に攪拌し、種子処理装備内に投入する。そのような人材は、かならずしもよく訓練されてはおらず、人材の化学物質への曝露のリスク、ならびに漏出および処理化学物質の不適切な廃棄のリスクが高い。量および塗布レベルを正確に制御すること、および正確な製剤を塗布することでさえも問題である。さらに、種子に対して何を、どのくらい塗布したかを正確に記録し、検証する方法は単に存在しない。一般に、自動在庫および注文システムは存在せず、その結果として特定の有機化合物の不足の可能性があり、ついで理想以下の置換の利用となる。一般に、種子処理機に対して利用可能な自動湿度制御および動的速度適用システムは存在せず、その結果として特定の化学物質の一貫性のない処理の可能性があり、および処理した種子の理想以下の水分含量となる。
【０００９】
塗布制御、人材保護および環境保護、および種子の小売場所にとりわけ好適である在庫システムを提供する必要性が存在する。
【先行技術文献】
【特許文献】
【００１０】
【特許文献１】米国特許第５，８９１，２４６号明細書
【特許文献２】米国特許第４，６５７，７７３号明細書
【特許文献３】独国特許第４４１１０５８号明細書
【特許文献４】米国特許出願公開第２０１１／００２７４７９号明細書
【特許文献５】米国特許出願公開第２００６／０２３６９２５号明細書
【発明の概要】
【発明が解決しようとする課題】
【００１１】
本発明は、関連するすべての関係者に対して、安全および操作有益性を効果的に提供する、オンデマンド種子処理システム、および職員及び環境セーフガードを提供する、ならびに利用在庫モニタリングおよび制御の方法を対象とする。本システムは、任意の大きさの塗布のために使用可能であるが、地元で農家に種子を販売し、配送する、小売業者のような、小〜中レベル処理事業体にとってとりわけ有益である。本発明の実施形態はまた、ローカルでおよび遠隔で、適切な装置機能、在庫利用を含む種子の処置の制御、およびモニタリングを提供し、詳細なデータ回収、個々の種子のバッチに対する特定の化学製剤の料金請求および報告のような、望み通りの報告および会計を提供する。
【課題を解決するための手段】
【００１２】
本発明の実施形態において、処理レシピによって定義された、単独、または互いに混合した、１つまたはそれ以上の種子処理製剤の塗布が、プログラム可能な電子制御パネルを介して電子的に制御されるポンプによって計量しながら供給される。電子制御パネルには、固有の、およびカスタムプログラム可能なコントローラ、または種々の入力された化学物質処理レシピの１つに基づいた処理システムを「駆動する」または操作するコンピュータが含まれ得る。コントローラは、種子に塗布した各化学処理製剤の速度および量、ならびに種子が処理装置を流れる速度を含む、処理の間の全ての工程を監督する、またはモニタリングするように、ソフトウェアで構成される。種子処理工程の間、コントローラソフトウェアは、制御センターまたはリモートサーバーからデータを送信または受信するように構成可能である。データには、例えば、装置状態、処理した種子の各バッチについての報告、処理工程によって利用される化学物質処理製剤の量、さらなる化学物質送達のための要求、または新しいまたは更新された処理レシピまたは化学製剤データが含まれ得る。
【００１３】
本発明の実施形態において、処理装置の制御パネルが、異なる関係者が、システムからデータを受信する、またはシステムに更新を提供することができるように、例えばインターネット、携帯電話ネットワークのようなコンピュータネットワーク上で連結可能である。本様式において、例えば、カスタム種子処理機に種子を処理することを望む種子会社が、異なる種子ロットまたはバッチ上に置くことが可能な、多数の異なるレシピをもってよい。種子会社は、レシピが、所望の小売または配送場所にて、開示した種子処理システムの実施形態に、電気的にロードされるように、そのレシピを、インターネットまたは他のネットワークコネクションを介して、種子処理会社に送信可能である。さらに、化学物質製造または供給会社は、本発明の実施形態で通信し、化学会社によって提供された成分製剤を利用したシステム内の多数の異なるレシピの任意の１つを更新、リコールまたは変更することが可能である。
【００１４】
本発明の種子処理デバイスの実施形態のオペレータは、レシピを選択することができ、システムコントローラに、レシピの成分を含む種々のドラムまたは樽（keg）に付随した、１つまたはそれ以上のポンプを次に操作し、樽から、連結管システムまたは成分を種子のバッチに塗布する他の装置へ成分（１つ又は複数）を届けるように指示可能である。このようにして、レシピの種々の成分が、樽から種子処理デバイスの塗布領域に移され、種子処理デバイス内の多量の種子をコーティングするために、適切な量で塗布される。種々のレシピ成分および化学製剤をプレミックスまたはハンドミックスする必要性を、減らすか、または完全に省くことができる。化学製剤をプレミックスする必要性を省くことで、中間混合またはスラリータンクの必要性を省くことができ、任意の関連したポンプ、ホース、または種子処理バッチ間のさらなる維持またはクリーニングを必要としうる配管の必要性もまた省くことができる。
【００１５】
本発明の実施形態において、システムは、各樽から実質的に全ての成分を引き出すことによって、購入した処理成分の利用の最大化が可能であり、それによって樽内の未使用内容物の量を最小化することができる。例えば、樽の内容物が枯渇している、またはほぼ枯渇している時、樽に関連したセンサが、インターフェースを通して、システムコントローラにシグナルを提供し、ついでそのシステムコントローラが、カスタム種子処理機のオペレータに警告を発し、時宜に即して樽を交換する準備をする指示を示唆することが可能である。センサは、各樽中に残っている化学組成物の量を連続的に計算するために、各固有の樽をモニタリング可能であり、これは、その内容物が、樽の変化している重量に基づいて、処理工程の間に塗布され、樽の変化している重量が各樽ステーションにて各樽の下に位置するはかりまたはロードセルによってシステムに対して提供されることで可能である。化学物質処理成分の塗布の間、樽の重量の変化が止まった時に、システムが、樽が効果的に空である、およびさらなるポンピング操作が、処理ライン内に空気を導入可能である、と決定可能である。このことによって、システムが、分配ハードウェアで物理的に抽出可能な樽内の全処理成分を引き出すことが許容され、一方で空の樽のために、種子のバッチを不十分に処理することから、システムを保護する。システムが、もはや流体が樽から引き出されないことを決定した時に、システムは、樽が交換されるか、等価の処理成分を備える異なる樽ステーションから、同一の処理成分流体を引き出し始める、またはポンピング速度が増加するまで、処理工程を停止可能である。
【００１６】
本発明の実施形態において、種子を主に地元のまたは地域の栽培者および農家に売るための種子店を含む小売種子処理施設が、貯蔵エリア、操作エリアおよび顧客アクセスエリアを有する。種子処理化学物質の在庫、主に樽中の種子処理製剤のストックを保存するための貯蔵エリアは、バルク種子保存ビンを含み得る。操作エリアにて、施設には、主に樽ステーションと混合ステーション、種子処理機からなる、供給ステーションの列を含み、その全てが、プログラム可能な処理コントローラに連結する。典型的には、建物は、樽のための貯蔵エリアと、操作エリアを含む。施設は、バルク種子を種子処理機に提供するため、また種子処理機の出力を顧客ローディングまたは引取エリアへ運搬するための、一般的なコンベアのような種子／穀物運搬装置を含み得る。施設は、プログラム可能な処理コントローラに連結し得る、温度、湿度、気圧のような気象センサを含み得る。
【００１７】
種子会社は、塗布工程を見るためのリアルタイムアクセスを有し得、またはインターネットまたは他の連結されたコンピュータシステム上で、レシピを改変、交換または更新する許可を与えられうる。同様の様式にて、カスタム種子処理機がまた、ローカルでデバイスを制御する位置にある。また、必要ならば、種子処理化学物質を製造する会社（すなわち化学物質会社）は、インターネットまたは他のネットワーク上で、例えば化学物質会社が、化学物質在庫の製造をスケジュール調整すること、または種子バッチに塗布される物質の品質または量をモニタリングすることを可能にするために、システムにアクセス可能である、事業体のリスト中に含まれうる。このモニタリングは、レシピが正しく適用されることを確かめるため、および化学物質が塗布された時に、在庫レベルを処理するために、化学物質会社に情報を提供可能である。
【００１８】
本発明の実施形態において、システムは、種子会社、種子組成物製造会社（例えば、種子処理組成物を製造する化学物質会社）、ローカルカスタム種子処理機、またはその任意の組み合わせに対して在庫管理制御を提供可能である。例えば、樽の内容物が枯渇している時、またはほぼ枯渇している時、樽に関連したセンサが、インターフェースを通して、システムコントローラに信号を提供し、ついでそのシステムコントローラが、カスタム種子処理機のオペレータに警告を発し、時宜に即して樽を交換する指示を示唆することが可能である。センサは、各樽に対して固有であってよく、またはシステムが、各樽中の化学物質組成物の量を連続して計算可能であり、これは、その内容物が、樽の変化している重量に基づいて、処理工程の間に塗布され、樽の変化している重量が各樽ステーションにて各樽の下に位置するはかりまたはロードセルによって、システムに提供されることで可能である。
【００１９】
システムはまた、必要に応じてさらなる材料を注文するために、カスタム種子処理機の注文部門に警告を送信可能でもあり、次に化学物質会社に、必要な種子処理成分または化学製剤のさらなる製造をスケジュール調整するように警告可能である。種子会社はまた、材料の遅延／不足がある場合に、警告されてよく、したがって在庫判断可能でもある。例えば、種子会社は、種子処理レシピを、供給不足である製剤または成分を要求し得ない他の同様のレシピに変更可能である。
【００２０】
本発明の実施形態には、顧客入力からの全ての処理、塗布した化学製剤、種子品種、種子量、処理したバッチ、製品の在庫レベル制御、選択したレシピ、個々の樽の位置、適切な卸センターからの消費成分の自動補充についての、徹底して詳細な報告書を準備する方法が含まれる。本発明の実施様態のデータシェア機能が、個々のオンデマンド種子処理機システム、種子処理材料の製造者（例えば化学物質製造会社）、そのように処理した種子を有することを望む種子供給会社、小売種子処理業者／卸業者、処理した種子の最終消費者である農家間のコミュニケーションを提供する。
【００２１】
１つの利点には、システム中の変化に対する応答で動的に種子のバッチに対する正確な化学物質の塗布を保証可能な、プログラム可能なロジックコントローラのような、コントローラによるシステムの自動化調節、自己診断および校正設計を提供可能であるソフトウェアコントローラが含まれる。システムは、個々の処理成分の処理速度が、処理製剤レシピによって要求されるレベルであることを確かにするために、各個々の樽ステーションでのポンプ速度を調節可能である。これは、処理成分の正確な塗布が実施されることを確かにするために、塗布工程の間、各処理成分容器（樽）の重量の変化を連続して、または定期的にモニタリングすることによって達成可能である。おそらく部分的に詰まったフィルタまたはホースによる樽の重量における変化によって測定される、実際の塗布速度における変化に応答して、システムが、これらの条件に対応するために、ポンプ速度を増加させ、フィルタを交換するか、またはホースにおける障害を取り除く場合、ポンプ速度を同様に減少させる。
【００２２】
本発明の実施形態は、各個々の樽、ドラム、または他の化学物質の容器を一意的に識別するために、バーコードまたはＲＦＩＤタグを利用する。バーコードラベルまたはＲＦＩＤタグによって、各樽上にコードされた識別情報は、樽の内容物の製造者、樽の内容物に関連したバッチまたはロット番号、樽の大きさまたは容量、製造業者または化学物質供給会社によって提供された際の、樽内に含まれる化学製品の実際の量、識別データを認証するか、または識別データのエラーをチェックするためのチェック・ディジット、一意的な樽シリアル番号、または他の有用な識別情報のような情報が含まれうる。
【００２３】
本発明の実施形態には、化学製剤の個々の樽を、種子処理装置に連結する、モジュール式樽ステーションが含まれる。複数の樽ステーションを、複数の樽からの製剤を、システムコントローラ内にプログラムされるレシピによって指定されるような混合物に組み合わせることが可能な連結管に連結する。得られた流体混合物を、種子処理装置による化学物質の種子への塗布前に、振動バッフル反応器または他の流体混合装置に流体を通すことによってさら混合可能である。
【００２４】
本発明の実施形態は、種子処理のためのレシピおよびバッチを構成するためのインターフェースに加えて、リアルタイム種子処理報告、在庫状況および情報、樽状況報告および警告通知を提供可能な、グラフィカル・ユーザー・インターフェース（ＧＵＩ）を含む。ＧＵＩは、操作のためにシステムを設定すること、および化学物質処理工程をモニタリングすることが可能なローカルオペレータを提供する。ＧＵＩはまた、システムのネットワーク接続を介して、遠隔地からダウンロードされるレシピに対する更新を開始するか、または再検討するためのインターフェースを提供する。ＧＵＩはまた、システムのローカルインストールにて、カスタマイズされたレシピを入力または設定するためのインターフェースを提供可能である。
【００２５】
本発明の１つの利点には、種子処理と種付間の遅延を減少させることが含まれる。そのような種子処理は、種子小売業者によって、地元レベル、農家の近くで実施される必要がある。システムの実施形態が、小売レベルにて種子を効果的かつ経済的に処理可能であるので、閉鎖型システム中で所望の化学製剤を取り扱うことによって、環境的に確保される一方で、種子流通および輸送に関連した処理と種付間の時間は、大きく減少可能である。
【００２６】
本発明の１つの利点には、種子処理製品をスラリーまたはプレミックス内に混合する必要性の除外が含まれる。代わりに、処理を、「原液で」または種子に直接プレミックスすることなしに、塗布しうる。塗布混合物には、電子的に測定される、そしてプログラム可能な制御パネルによって制御される、数個の製品が含まれうる。適切な連結器のみによってアクセスまたは「穴を開けること」が可能である丈夫なドラムまたは樽の利用により、樽の内容物での異物混入を防止可能であり、樽中に含まれる化学製剤の完全性および品質に寄与しているさらなる要因を提供可能である。さらに、丈夫な樽の適用によって、リサイクルまたは再利用設備への樽の返却に際して、ほぼ枯渇した樽の任意の残留内容物の再利用を可能にさせる。
【００２７】
本発明の１つの利点には、全ての入力された化学レシピの混合および比率を指示するプログラムされた制御ソフトウェアによる実施が含まれる。システムはまた、処理の間全ての工程をモニタリングし、監督し、種子処理装置から遠くに離れて配置可能な、制御センターまたはサーバーからデータを同時に送信し、受信することが可能である。
【００２８】
１つの利点には、化学物質がプレミックスされ、適正な時間で使用されない場合に、懸濁の「不和」のリスクがある、スラリータンク中に、化学物質ジョッキの手による混合の排除が含まれる。本システムはまた、化学物質漏出または汚染の可能性を減少させることによって、人および環境安全性を大きく改善し、実施する。
【００２９】
１つの利点は、任意の望まない化学製剤、レシピ、塗布および／または種子の問題を検出することを補助するために、ワイヤレスまたは有線インターネットまたは同様のネットワークを介して、危機管理を提供可能でもある。プログラム可能なロジックコントローラのような、コントローラの自己診断および校正設計が、種子への正確な化学物質塗布を確実にし、エラーまたは設備機能不良を診断する補助を提供することが可能である。
【００３０】
１つの実施形態において、種子処理設備の近くへの配置のための複数の製剤液体種子処理ドラムラックシステム。本システムは、環境および個人セーフガードを提供するモジュール性、冗長性、アクセスのしやすさを提供する。ドラムラックシステムは、一連の個々のラックユニットと、種々の実施様態において、数個の樽受領ユニットと混合ユニットを有する個々のラックユニットを含む。ドラムシーティング表面上に位置する樽が、はかり部分によって重量測定されるように、それぞれが、ドラムシーティング表面とはかり部分を備える基体を有する。実施形態において、基体は、四側、正面側、２つの側面側および背面側を備える長方形設置面積を有する。各ラックユニットは、ポンプおよびポンプコントローラ、空気除去デバイス、および混合モータを備えるミキサ、配管、出力ならびに制御のための配線を含む、専用のコンポーネントを有する。基体の背面側にて上方に伸張しているマウンティングフレームワークは、専用コンポーネントに対して連結を支持し、提供する。
【００３１】
実施形態の特徴および利点は、専用コンポーネント、配管、配線および連結が、各ラックユニットの正面側から、各ラックユニットに対して、簡単にアクセス可能であることである。
【００３２】
実施形態の特徴および利点は、基体が、高さが低く、言い換えれば、地面とはかりの最上部間の距離が、満杯の樽が、はかり上の樽を設置するために持ち上げられなければならない距離を減少させるために、最小化される。
【００３３】
実施形態の特徴および利点は、ラックユニットが種々の高さのドラムまたは樽を収容するために調節可能であることである。
本発明の実施形態の特徴および利点は、フレームワークに対する支持フレームワークが、ラックの表面側に位置しないように、装置マウンティングフレームワークが、背面側で上方に伸張することである。
【００３４】
本発明の実施形態の特徴および利点は、種子処理以外の適用での、種子処理適用の文脈で記述された装置、器具および方法の利用である。例えば、他の農業製品の処理を、本明細書で記述した装置で実施可能である。さらに、装置、システムおよび方法の別々の部分が、他の産業にて適用を有することが意図される。
【００３５】
本発明の１つの実施形態には、種子処理装置へ、化学製剤の個々の樽を連結するために、はかりまたはロードセル、ポンプ、攪拌装置、空気除去アセンブリ、樽連結器、および関連した導管または管類を含むモジュラー樽ステーションが含まれる。樽ステーションの交換可能なコンポーネント構造が、予備の部品の在庫中で維持されるか保持されなければならない、使用可能な、交換部品の数を減少可能である。１つの実施形態において、複数の樽ステーションが、複数の樽からの製剤を、システムコントローラ内にプログラムされるレシピによって指定されるように、予め決定された混合物に混合可能である連結管と連通する。得られた流体混合物を、流体を振動バッフル反応器または他の流体混合装置に通すことによってさらに混合可能である。１つの実施形態において、空気除去アセンブリには、製剤供給ラインから取り除かれる空気または泡と共に逃れる任意の流体を、製剤が最初に引き抜かれた樽へ戻すように設計された弁が含まれる。
【００３６】
本発明の実施形態の１つの利点には、種子処理製品をスラリーまたはプレミックス内へ混合するための必要性の除外が含まれる。代わりに、処理を、「原液で」または種子に直接プレミックスすることなしに、塗布しうる。塗布混合物には、電子的に測定される、そしてプログラム可能な制御パネルによって制御される、数個の製品が含まれうる。適切な連結器のみによってアクセスまたは「穴を開けること」が可能である丈夫なドラムまたは樽の利用により、樽の内容物での異物混入を防止可能であり、樽中に含まれる化学製剤の完全性および品質に寄与しているさらなる要因を提供可能である。さらに、丈夫な樽の適用によって、リサイクルまたは再利用設備への樽の返却に際して、ほぼ枯渇した樽の任意の残留内容物の再利用を可能にさせる。
【００３７】
本発明の実施形態は、付随する図面との組み合わせで、本発明の種々の実施形態の以下の詳細な記述を考慮してより完全に理解されるであろう。
【図面の簡単な説明】
【００３８】
【図１ａ】１０の樽ステーション、フレックスタンクステーションおよび攪拌機ステーションを有する種子処理システムの例示実施形態を示す図である。
【図１ｂ】図１ａの樽ステーションの一部を示す図である。
【図２ａ】種子処理システムの例示実施形態のブロック図である。
【図２ｂ】種子処理システムの例示実施形態のブロック図である。
【図３ａ】樽ステーションの例示実施形態のブロック図である。
【図３ｂ】水フレックスタンク供給ステーションのブロック図である。
【図３ｃ】混合タンク供給ステーションのブロック図である。
【図４ａ】はかり上に配置された樽を備える、樽ステーションの例示実施形態の透視図である。
【図４ｂ】樽ステーションの例示実施形態の立体図である。
【図４ｃ】樽ステーションの例示実施形態の側面立体図であり、その鏡像である基体、はかりおよび直立支持フレームに関して、反対側からの図である。
【図４ｄ】樽ステーションの例示実施形態の正面透視図であり、その鏡像である基体、はかりおよび直立支持フレームに関して、近接正面角からの図である。
【図４ｅ】空気除去弁の断面透視図である。
【図４ｆ】種子処理製剤で満たした樽とともに提供され得る、樽攪拌機構の透視図である。
【図５】小売種子処理施設の例示的実施形態のレイアウト平面図である。
【図６】５つの樽ステーションと、フレックスタンクステーションを有する種子処理システムの例示的実施形態を示している図である。
【図７】処理システムと、他のネットワーク化された位置およびシステム参加者間のコミュニケーションの例示的ブロック図である。
【図８】本発明の実施形態にしたがった、小売場所、供給業者および消費者間のコミュニケーションおよび製造フローの例示的ブロック図である。
【図９】可能性あるデータストア、および種子処理システムと遠隔クラウドベースデータストアとの間のトランザクションの例示的ブロック図である。
【図１０ａ】例示的種子処理システム設定スクリーンを示す図である。
【図１０ｂ】例示的種子処理システム設定スクリーンを示す図である。
【図１０ｃ】例示的種子処理システム設定スクリーンを示す図である。
【図１０ｄ】例示的種子処理システム設定スクリーンを示す図である。
【図１１ａ】例示的種子処理メインシステムスクリーンを示す図である。
【図１１ｂ】例示的種子処理メインシステムスクリーンを示す図である。
【図１１ｃ】例示的種子処理メインシステムスクリーンを示す図である。
【図１１ｄ】例示的種子処理メインシステムスクリーンを示す図である。
【図１２ａ】例示的種子処理システムポンプステーション詳細スクリーンを示す図である。
【図１２ｂ】例示的種子処理システムポンプステーション詳細スクリーンを示す図である。
【図１２ｃ】例示的種子処理システムポンプステーション詳細スクリーンを示す図である。
【図１２ｄ】例示的種子処理システムポンプステーション詳細スクリーンを示す図である。
【図１２ｅ】例示的種子処理システムポンプステーション詳細スクリーンを示す図である。
【図１２ｆ】例示的種子処理システムポンプステーション詳細スクリーンを示す図である。
【図１２ｇ】例示的種子処理システムポンプステーション詳細スクリーンを示す図である。
【図１３ａ】例示的はかり校正スクリーンを示す図である。
【図１３ｂ】例示的はかり校正スクリーンを示す図である。
【図１３ｃ】例示的はかり校正スクリーンを示す図である。
【図１４ａ】例示的種子処理システムバッチ処理設定スクリーンを示す図である。
【図１４ｂ】例示的種子処理システムバッチ処理設定スクリーンを示す図である。
【図１４ｃ】例示的種子処理システムバッチ処理設定スクリーンを示す図である。
【図１４ｄ】例示的種子処理システムバッチ処理設定スクリーンを示す図である。
【図１４ｅ】例示的種子処理システムバッチ処理設定スクリーンを示す図である。
【図１４ｆ】例示的種子処理システムバッチ処理設定スクリーンを示す図である。
【図１５】例示的フレックスフィル指示スクリーンを示す図である。
【図１６ａ】例示的種子処理システム状態およびコマンドスクリーンを示す図である。
【図１６ｂ】例示的種子処理システム状態およびコマンドスクリーンを示す図である。
【図１７ａ】例示的ドラムおよび種子ホイール制御スクリーンを示す図である。
【図１７ｂ】例示的ドラムおよび種子ホイール制御スクリーンを示す図である。
【図１７ｃ】例示的ドラムおよび種子ホイール制御スクリーンを示す図である。
【図１７ｄ】例示的ドラムおよび種子ホイール制御スクリーンを示す図である。
【図１８】例示的種子処理システムマルチステーション状態スクリーンを示す図である。
【図１９】例示的警告／アラームスクリーンを示す図である。
【図２０】例示的ローカル在庫スクリーンを示す図である。
【図２１ａ】樽交換指示スクリーンの例示組を示す図である。
【図２１ｂ】樽交換指示スクリーンの例示組を示す図である。
【図２１ｃ】樽交換指示スクリーンの例示組を示す図である。
【図２１ｄ】樽交換指示スクリーンの例示組を示す図である。
【図２１ｅ】樽交換指示スクリーンの例示組を示す図である。
【図２１ｆ】樽交換指示スクリーンの例示組を示す図である。
【図２２】例示的ログインスクリーンをオンラインで描写している図である。
【図２３】例示的オンラインユーザーリストスクリーンを示す図である。
【図２４】例示的オンライン顧客リストスクリーンを示す図である。
【図２５】例示的オンライン在庫スクリーンを示す図である。
【図２６】例示的オンライン注文フォームスクリーンを示す図である。
【図２７】例示的オンライン配送追跡スクリーンを示す図である。
【図２８】例示的オンライン配送受領報告スクリーンを示す図である。
【図２９】例示的オンライン在庫スクリーンを示す図である。
【図３０】例示的塗布および請求工程を示す図である。
【図３１】プレミックスドラムを含む、種子処理システムの例示的実施形態のブロック図である。
【図３２】種子装置に接続した６導入連結管への例示的流体供給ライン導入の例示的図である。
【図３３】例示的１２導入連結管を示す図である。
【図３４】はかり上にタンクを備える供給ステーションである。
【図３５】本発明の実施形態にしたがった、例示的コンピュータコントロール構造を示す図である。
【図３６】処理工程の例示的動的塗布および適合を示す図である。
【図３７】本発明の実施形態にしたがった、適応ポンプ速度アルゴリズムの、例示的ブロック図を示す図である。
【図３８】本明細書の樽との利用に好適な例示的バーコードである。
【発明を実施するための形態】
【００３９】
本発明は、種々の改良および関連形態に対して修正可能である一方で、その詳細が、図面にて例として示され、詳細が記述される。しかしながら、本発明は、記述した特定の実施形態に本発明を制限するものではないことが理解されるべきである。一方で、本発明は、本発明の精神および範囲内にある、すべての変更、等価物および関連実施形態をすべて網羅する。
【００４０】
作物種子を、典型的には着色染料または他の種子を処理したとのインジケータとともに、肥料、除草剤、殺菌剤、殺虫剤またはこれらの化学物質の任意の種々の組み合わせのような、種々の成分または製剤で処理可能である。種子処理レシピまたは製剤の組み合わせは、タネをまく農家の必要性、種子の型、種子生長環境によって変化しうる。環境因子には、地理的種付け領域、土壌型、特定の植物病またはペストの潜在的存在、気候生長シーズンなどが含まれうる。農業主は、種子を選択する時、および種付け前の種子処理が必要な時、これらの変動しやすいもののいくつかまたは全てを考慮する必要がありうる。
【００４１】
様々な種類の利用可能な種子の型および化学物質処理製剤があるため、最も広い可能性のある種々の種子処理要求に応えるために望まれる、可能な限りの種子および種子処理の組み合わせで処理した種子の在庫を製造することまたは維持することは、効率的ではなく、必ずしも実用的ではない。いくつかの化学物質の潜在的に危険な性質のために、適切な量の化学製剤のみを、種子のバッチに塗布すること、化学製剤の取り扱いおよび塗布においてすべての適切な規制に従うこと、および化学物質の人または外部環境への曝露が、実現可能な程度に制限されること、が重要である。したがって、種子小売業者が、安全で、囲い込まれた処理システムにてオンデマンド様式にて、小売業者の販売場所で、任意の多数の化学物質処理製剤で、広く種々の種子を処理可能であることは、有利である。
【００４２】
図５ａ、１ａおよび１ｂを参照すると、本発明の実施形態において、小売種子処理設備８０は典型的に、種子をまず地元の農場主、栽培者、農家に販売するために、種子売り場８２を含む建物８１を有する。設備は、貯蔵エリア８４、操作エリア８６および農場主、農家、栽培者のための小売顧客アクセスエリア８８を持つ。貯蔵エリアは主に、種子処理化学物質の在庫、すなわち種子処理製剤供給業者から受領した種子処理製剤のストック９０を保存するためである。前記エリアは、本明細書で、１ダースまたはそれ以上として定義される多数の樽に関する保存場所を提供する。貯蔵にはまた、特に処理前に、バルク種子９２の貯蔵のためのバルク種子貯蔵ビン９１も含まれる。典型的には、建物は、樽のための貯蔵エリアと操作エリアを含む。設備には、バルク種子を種子処理機に提供するため、およびまた、種子処理機の出力を、小売顧客ローディングまたは引取エリアへ運搬するための、標準のコンベア９５のような、種子/穀物運搬装置９４が含まれ得る。操作エリア８６において、設備には、種子処理機１００、システムコントローラ１０２、主に樽ステーションと混合ステーションから成る、供給ステーション１０５の列１０３を含む。設備には、プログラム可能な処理コントローラに連結し得る、温度、湿度、気圧のようなセンサを含む天気ステーション１０７を含んでよい。例示的なオンデマンド種子処理システムを図１ａにて描写している。種子処理システム１００は、システムコントローラ１０２、それぞれが化学物質処理を含む樽１０６を含む複数の樽ステーション１０４、ポンプ１０８およびはかり１１０を含み得る。樽１０６（またドラムと呼ばれる）は、大きさに幅があり得、例えば実施形態において、樽１０６は、およそ１５ガロンの容量を持ちうる。他の樽は、５〜２５ガロンの大きさの範囲内である。また他の関連する実施形態において、樽は、７〜５５ガロンの大きさの範囲内であり得る。実施形態において、樽１０６は、およそ３０ガロンの容量を持ちうる。
【００４３】
図１ａは、１０の樽ステーション１０４、フレックスタンクまたは混合ステーション１６０、および攪拌ステーション１７０を備える種子処理システムの例示的組み合わせを描写している。図３ａおよび４ａで示すように、攪拌ステーション１７０には、攪拌子モータ１３８によって作動する攪拌子機構１４２を含みうる。図１ｂが、１１−ステーション設計での、図１ａの樽ステーション１０４とフレックスタンクステーション１６０の他の描写である。
【００４４】
複数の樽ステーション１０４それぞれに対するポンプ１０８が、種子処理適用装置２００に、各樽１０６からの化学物質処理を提供可能である。実施形態において、ポンプ１０８は、蠕動ポンプまたはローラポンプ、または他の適切な型の容積式ポンプでありうる。システムコントローラ１０２を、種子処理システム１００のユーザーまたはオペレータに、種々のメニュー、警告、アラーム、データ入力フィールド、およびシステム１００を設計または操作するための他のオプションを提供可能な、グラフィックタッチスクリーンのような、ユーザーインターフェース１１２に連結可能である。システムコントローラをまた、室温、相対湿度および大気圧をシステムに提供可能なオンサイトまたはオフサイトでのローカル天気モニタリングステーション１０７に連結可能でもある。緊急停止ボタンまたはスイッチを、システムコントローラ１０２に連結して、オペレータが、緊急または他のシステム不全の場合に、処理工程をすぐに停止することを可能にできる。
【００４５】
図２ａを参照すると、システムコントローラ１０４を、インターネット、プライベートコーポレートイントラネット、クラウドベースコンピュータネットワーク、携帯電話ネットワーク、または任意の種々の他の電子的または光学的コミュニケーションネットワークのような、ネットワーク１２０に連結可能である。システムコントローラ１０４へのネットワーク接続性は、二方向性であり得る。システム１００は、ネットワーク１２０を通して、リモートデータストレージおよび報告設備１２２に連結可能である。設備１２２またはバックオフィスには、１つまたはそれ以上のデータベース、またはＳＡＰ  ＡＧから入手可能な統合業務ソフト（ＥＲＰ）製品のような在庫管理システム、および１つまたはそれ以上の個々の処理システム１００から受信した任意のデータを収集、処理および保存するために設計された、電子的コンピュータ読み取り可能ストレージメディアが含まれうる。報告設備１２２はまた、ネットワーク１２０を通して、種々の化学処理製剤に対する処理レシピおよび製剤情報を保存および配布可能である。製剤情報には、ラベルデータ、製造業者情報、密度または攪拌要求のような製剤特性、および種子を処理するための化学製剤の塗布のために有益でありうる任意の他の関連データを含みうる。
【００４６】
１つの実施形態において、報告設備１２２は、設備１２２に登録された各個々の樽１０６の位置、利用および内容物を管理し、追跡可能である。各樽１０６には、各個々の樽、ドラム、または他の化学物質の容器を一意的に特定するための、バーコードまたはＲＦＩＤタグが含まれる。ＲＦＩＤタグは、各樽１０６に添付されたバーコードラベル中に埋込み、冗長またはさらなる情報を提供することが可能である。バーコードラベルまたはＲＦＩＤタグによって各樽１０６上にコードされた識別情報には、樽の内容物の製造業者、樽の内容物に関連したバッチまたはロット番号、樽のサイズまたは容量、空の時の樽の重量、先にインストールされた攪拌装置とアセンブリした時の樽の重量、製造業者または化学物質供給会社によって提供されたような樽内に含まれる化学製品の実際の量、樽の内容物の密度、識別データを本物であることを確認するか、またはエラーをチェックするためのチェック桁、固有の樽シリアル番号、または他の有用な識別情報またはデータのような情報が含まれうる。
【００４７】
種子会社は、種子処理レシピまたは製剤を変更、交換または更新するために、種子処理システム１００に対するリアルタイムアクセスを利用可能である。それぞれの種子バッチに関する処理情報を、処理コントローラ１０２から、個々の種子会社のデータ貯蔵地点へ、クラウドベースデータストア内に、または報告設備１２２に、ネットワーク１２０を通して、送達可能である。
【００４８】
１つの実施形態において、システム１００が、先にプログラムされたレシピ、または遠隔データ貯蔵および報告設備１２２から購入またはダウンロードするレシピにしたがって、処理された種子のバッチを製造するためのみに設計可能である。他の実施形態において、システム１００を、カスタマイズされた、または固有のレシピが、ユーザーインターフェース１１２を介してシステム１００内に直接、またはパーソナルコンピュータ、タブレットコンピュータ、リムーバブル非揮発メディアストレージデバイスまたは他のコンピュータ読み取り可能メディアにシステムコントローラ１０２を連結することによって、プログラムされうるように設計可能である。システム１００の、許可されていないレシピをロックアウトする、さもなければ、システムの管理を制御する機能は、セキュリティログイン機構またはシステム１００およびそのコンフィギュレーションへの許可されていないアクセスまたは変更を防止可能である一方で、バッチ処理工程を開始、モニタリングまたは終了することが可能な個々のユーザーまたはオペレータに対するアクセスを提供する、他のアクセス制御にて実施可能である。システムコントローラ１０２はまた、処理した種子の各バッチに関するデータベースレコードが、そのバッチに関連した個々のユーザーｉｄを含みうるように、システム１００を操作している個々のユーザーと関連したユーザーｉｄを記録するように設計も可能である。
【００４９】
各樽１０６の追跡および管理によりまた、個々の化学製剤の先入れ先出し（ＦＩＦＯ）管理を提供可能でもある。例えば、小売場所が、異なる時に、同一の化学製剤の別の配達を受領した場合、システム１００は、古い化学製剤を、より新しい、第二に到着する樽より前に、樽ステーション１０４上に配置することを要求可能である。本様式において、化学物質の効果を管理およびモニタリングする。あるいは、個々の樽が、化学製剤の効果を確かにするために、所望の時間よりも長い時間、在庫中に保存される場合、システム１００は、オペレータが、期限が過ぎた後、化学製剤を利用しようと試みる場合に、樽の使用を防止可能である。１つの実施形態において、システム１００は、適切な化学物質リサイクルまたは本来の化学物質供給業者に樽を返却するよう、オペレータに指示可能である。１つの実施形態において、システムは、化学物質供給業者に、セントラルデータストアへのネットワーク接続１２０を介して、期限が切れた製品を含む各樽の位置を通知可能である。
【００５０】
図１ａ、１ｂ、２ａ、２ｂおよび３ａ、４ａ〜４ｆ、６は、樽ステーション１０４およびその成分のさらなる例示的実施形態を描写している。樽ステーション１０４は、基体部分１２３、直立支持構造１２６、バックマウントまたはラック１３３、およびはかり１１０を含んでよい。はかりは、樽受領領域１３５にて、単一の樽１０６を受領するために形成される。はかり１１０は、樽１０６の重量、および樽１０６に保存された化学物質の容量における変化を示唆する樽１０６の重量における任意の変化の連続または定期的な測定を提供可能である。樽ステーション１０４のはかり１３０は、システムコントローラ１０２に電気的に連結し、図２ａで描写したように、システムコントローラに重量測定を提供する。あるいは、図３で示すように、はかり１１０は、ステーションコントローラ１３０に電気的に連結可能である。化学製剤の密度が公知の場合、またはシステムコントローラ１０２に提供される場合、経時的な樽１０６の重量、および樽の重量における変化の正確な測定値を、種子処理塗布器２００に送達されている化学物質の容量および速度を計算するために使用可能である。塗布工程の間、はかり１３０を介した樽１０６の重量における変化のモニタリングが、種子処理塗布器２００内に指向されている多量の種子に実際塗布されている化学物質の量を示唆する、正確なデータを、システムコントローラ１０２に提供可能である。計算された送達容量および速度を、ステーションコントローラ１３０によって利用して、処理レシピ中で提供されるような所望の提供速度に適合するために、各化学物質成分の送達速度を自動的に調整または微調整することが出来る。
【００５１】
樽１０６およびその内容物の正確な重量測定を、供給ステーションにて、モーションセンサ２３１の利用を通して得ることが可能であり（図６を参照のこと）、または例えばはかりと連結して、およびステーションコントローラ１３０が、はかり１１０が不正確な読み取りを提供することを引き起こしうる運動を通知されるように、コントローラ１３０と通信する。はかり上における新規の樽の交換による振動、床の振動、あるいはオペレータまたは他の外的要因による樽１０６との偶発的な接触に起因する振動は不正確性をを引き起こしうるが、その不正確性は、はかりが安定した読み取りを提供し、動きが検出されない時に樽を重量測定することのみによって最小化され、または避けられる。
【００５２】
一般に、樽ステーション１０４には、樽１０６およびその内容物の重量を連続して、または定期的に測定するためのはかり１１０またはロードセル１９５、樽１０６から塗布器連結管１３６へ、特定の量の流体を送達するために設計される、正確な可変フローポンプ１０８、攪拌装置１４２に連結したモータおよび攪拌カップラ１４０を含む攪拌アセンブリ１３８、連結管１３６への流体ライン中の気体発生を防止し、ライン内に導入された空気を除去可能な、空気放出または除去弁１４４、樽カップラ１４８、種子処理装置２００に個々の樽１０６の内容物を送達するための、連結した導管および配管、およびジャンクションボックス１４９が含まれる、モジュラープラットフォームまたはステーションが含まれうる。空気は、樽カップラ１４８および関連導管および配管の、個々の樽１０６へのマッチングの間に、ラインに不注意に導入されうる。化学製剤の一般に低い送達速度のために、各樽１０６の内容物を、送達ライン中空気がない状態で、種子処理装置２００に送達することが望ましい。ライン中の取るに足らない量以上の空気の存在が、所望の化学処理の均一な適用を妨げうる。空気除去弁１４４をまた、バックプレート上にマウント可能である。
【００５３】
カップラ１４８は、自己シーリングする、速攻連結カップリングデバイス、例えばＭｉｃｒｏ  Ｍａｔｉｃ  ＵＳＡ，Ｉｎｃ．ｏｆ  Ｓｐａｒｋｓ，ＮＶによって生産されるような、ＲＳＶ（再利用可能ステンレス製弁）閉鎖化学システムカップラであり得る。カップラ１４８には、空気除去弁１４４からの任意のオーバーフローを、樽１０６内に返還させる返還ポートが含まれうる。
【００５４】
樽ステーション１０４はまた、カップラ１４８を通して樽１０６から化学物質内容物を除去するために操作可能なポンプ１０８に連結したステーションコントローラ１３０を含み得る。ステーションコントローラ１３０はシステムコントローラ１０２に電子的に連結しうる。システムコントローラは、ステーションコントローラ１３０にポンプ１０８の操作を指定するコマンドを提供する。コマンドには、ポンプ速度、ポンピング期間、およびポンプ方向が含まれうる。本明細書で使用する時「ポンプ」は、文脈が特にそうでないことを示唆しない限り、ポンプに関連したポンプコントローラおよびモータを含む。ステーションコントローラ１３０は、ポンプまたはステーションデータを、システムコントローラ１０２に送達可能である。ステーションデータには、ステーションコントローラ１３０への、はかり１１０によって供給される重量測定値が含まれうる。
【００５５】
種子処理化学物質は、およそ１５ガロンの容量のドラムまたは樽１０６中に供給可能であるが、およそ５〜６０ガロンの他の大きさの樽も種々の実施形態によって対応可能でもある。およそ５５ガロン以上の容量を持つ樽またはドラムは、より大きな、またはさらなるロードセルをはかり１１０内に要求し得る。樽１０６は一般に、漏出または汚染に対する可能性を減少させ、送達のための安全性と便利な機構を提供するように設計される。１５または３０ガロンの樽がとりわけ好ましい。ポリマー、とりわけポリエチレンが、樽のための好適な材料である。各樽１０６は、バーコード、クイックレスポンス（ＱＲ）コード、無線自動識別（ＲＦＩＤ）タグ、または化学物質内容物、重量、製剤、バッチ番号、ロット番号、製造業者、容量、オーナー、または樽またはその内容物の状態のような、参照情報を含みうる他の固有の識別子で標識またはコード化可能である。
【００５６】
各樽には、別々の攪拌子カップラ１４０、樽１０６中のダウンチューブまたはディップチューブ１４４と連通可能であるカップラ１４８、注入口１５１が含まれうる。カップラ１４８に加えて、攪拌子１４２と、攪拌子カップラ１４０を、樽を満たす前に取付け可能である。一旦化学物質処理成分で満たされたならば、注入口１５１を、流体が、カップラ１４８を通して、樽１０６から引き出されることのみ可能なように密封可能である。本様式において、樽は、輸送および使用の間密封されたままであってよく、樽１０６の内容物の漏出または汚染のリスクを防止するか、または最小化する。
【００５７】
樽ステーション１０４には、ステーションコントローラ１３０またはシステムコントローラ１０２に電子的に結合するリーダーが含まれ得る。本発明の種々の実施形態において、リーダーは、バーコードスキャナ、ＲＦＩＤタグリーダー、ＱＲコードリーダー、または他の適切な在庫特定またはモニタリング装置を含み得る。ＲＦＩＤタグリーダーの例において、リーダー１３２が、樽１０６上に配置されたＲＦＩＤタグがリーダー１３２によって読み取られることが可能なように、単一の樽１０６のみが位置可能であるように、樽ステーション１０４に結合可能である。リーダーは、ステーションコントローラ１３０またはシステムコントローラ１０２に、樽１０６からのＲＦＩＤタグデータを提供可能である。リーダー１３２とステーションコントローラ１３０またはシステムコントローラ１０２間のリンクは、有線であるか、または無線であり得る。他の実施形態において、リーダー１３２は、システムコントローラ１０２と電子的に結合しているワイヤレスバーコードスキャナを含んでよい。システムコントローラ１０２は、リーダー１３２が、ポンプ１０８の作動前に、はかり１１０上に配置された時に、樽１０６を特定することを要求するように設計可能である。本様式において、システムコントローラは、在庫データベース、バッチ報告書を更新し、各ステーション１０４にて、各樽１０６中に含まれる化学製剤をモニタリングすることが可能である。
【００５８】
樽１０６はまた、塗布の前に攪拌またはかき混ぜられなければならない化学物質に対応するために、内部攪拌子機構１４２も含んでよい。攪拌子機構１４２には、攪拌部分１４０が含まれてよく、その例は図３０にて描写されている。攪拌部分１４０は、樽１０６内に配置された攪拌子機構１４２に連結する。適切な攪拌またはかき混ぜが、定期的に、または塗布の前の期間内に、特定の化学物質のために必要であり得る。攪拌子機構１４２は、ステーションコントローラ１３０に電子的に連結可能な、攪拌子モータ１３８によって作動する。ステーションコントローラ１３０と連絡しているシステムコントローラ１０２を、化学的攪拌またはかき混ぜが、適切な時と間隔にてのみ発生することを確かにするように設計可能である。例えば、システムコントローラ１０２は、ステーションコントローラ１３０が、樽１０６からの化学製剤の塗布の間、攪拌子機構１４２の操作を防止するように指定可能である。システムコントローラ１０２は、処置適用のために樽１０６中の化学製剤の利用可能性を最適化するために、種々の樽１０４にて、化学製剤の攪拌を調整可能である。多数の塗布バッチがスケジュール調整されるシナリオにおいて、システムコントローラ１０２は、１つまたはそれ以上のステーションコントローラ１３０が、多数の樽１０６を含まないレシピを用いる第一バッチ塗布の間、後に続くバッチ塗布のために必要である多数の樽１０６において、攪拌機構１４２を作動させることを指定可能である。
【００５９】
ステーションコントローラ１３０は、定期的または先に設定された間隔で、個々の樽１０６攪拌子機構１４２を作動させるように設計またはプログラム可能なタイマーまたはタイミング機構を含み得る。例えば、特定の樽ステーションで特定の化学物質が、毎時間ごと１０分間の攪拌を必要としうる。第二樽ステーションにマウントされた樽１０６中の第二化学物質が、塗布前に１時間の攪拌期間を必要としうる。ステーションコントローラ１３０を、毎時間第一化学物質の定期攪拌と、プログラムされた午前８時のバッチ塗布の開始１時間前、午前７時に第二樽攪拌子を作動させる毎日のタイマーで両方の要求を実現するように設計可能である。
【００６０】
化学物質流体が、樽１０６の外にポンプされる時に、流体は、ポンプ１０８に入る前に、特定の物体を除去可能な、フィルタ１５０を通して通過しうる。ポンプ１０８はついで、連結管１３６、最終的には塗布装置２００に、樽ステーション１０４を連結する流体ライン中、エアポケットの形成を防止可能な、空気除去弁１４４を通して、流体を指向可能である。
【００６１】
１つの実施形態において、樽と処理装置２００との間の流体ライン１４７は透明または半透明であり、オペレータが、任意に着色染料で処理された、所望の化学物質が各ライン中に存在することを確かめることを許容する。新規ラインが設置されるか、またはラインが空である状況において、おそらく１つの化学物質から異なる化学物質に、樽ステーション１０４の洗浄または再利用のために、オペレータは、ラインが流体で満たされるまで、空のラインに結合したポンプ１０８を操作するために、システムコントローラ１０２を指定することによって、システムを準備可能である。他の実施形態において、光学センサ、容量センサまたはフローセンサ１４９が、各樽ステーション１０４にて、または各流体供給ライン中の流体の存在をモニタリングおよび確認するために、連結管１３６に含まれ得る。これらのセンサは、供給ラインに結合した個々のステーションコントローラ１３０に、またはシステムコントローラ１０２に連結しうる。いずれかの構成において、センサは、供給ライン中の各所望の化学製剤の存在をモニタリングし、確認するために、種子処理工程の間モニタリングされうる。
【００６２】
図３ｂおよび３６を参照すると、例示的なフレックスタンクステーション１６０が、特定のレシピによって要求された水または他の成分を提供するために、システム１００中に含まれうる。フレックスタンクは、混合した化学製剤の希釈を要求する処理レシピのために水源１６１を含み得る。フレックスタンクには、レシピまたは顧客の特別な要求によって要求されるような、システム１００内に他の成分を導入するために、ポータル１６３を含み得る。図６は、５つの樽ステーション１０４とフレックスタンクステーション１６０を備える種子処理システムを描写している。
【００６３】
図３ｃを参照すると、例示的混合タンクステーション１７０が、個々の樽中では利用不可能な化学製剤、またはプレミックスを必要とする粉末または顆粒成分の混合またはかき混ぜを提供するために、システム１００内に含まれ得る。混合タンクはまた、水源も含み得る。混合タンクには、単独ユニットとして、または混合タンクボウル内に統合されたような、攪拌子１３８が含まれうる。フレックスタンクステーション１６０と混合タンクステーション１７０の両方が、コントローラ、ポンプ、空気除去弁１４４、フィルタ、はかり、および樽ステーション１０４に含まれうる、任意のさらなる成分を含んでよい。
【００６４】
図４ｂおよび６を参照すると、各はかり１１０には、支持構造１９６中に配置された、少なくとも１つのロードセル１９５が含まれる。支持構造１９６は、多数のゴムバンパー１９７、またはロードセル１９５が不正確な測定を発生することを引き起こしうる振動を吸収可能な絶縁体を含み得る。
【００６５】
システムコントローラ１０２およびステーションコントローラ１３０を、システムコントローラ１０２とステーションコントローラ１３０の両方が、処理適用の開始より前に互いを認識することを必要とする、二方向通信チャンネルまたはプロトコールと連結可能である。この構成は、多数の樽ステーション１０４上の各ステーションコントローラ１３０の存在およびワーキング操作を検証するための機構を備えるシステムコントローラ１０２を提供可能である。同様に、システムコントローラ１０２と任意の個々のステーションコントローラ１３０との間のいずれかの方向での通信の欠如により、警告またはアラームの発生を引き起こしうる。警告の存在は、オペレータの動作を必要とするか、または結果として、バッチ処理適用の自動中断またはシャットダウンとなりうる。処理は、各ステーション１０４上の各ポンプ１０８を停止させることによって、ならびに種子処理装置内への、または装置を通しての種子の流れを停止することによって、中断または一時的に停止可能である。
【００６６】
図１ａ、６、３３ａおよび３３ｂを参照すると、例示的連続フロー種子処理装置２００および供給ステーション１０４の列１０３のさらなる詳細が図解されている。種子処理機２００には、化学塗布器または処理部分２０６への種子入口２０４を含むハウジング２０２が含まれる。実施形態において、化学処理部分２０６には、可変速度モータ２０９によって駆動する種子ホイール２０８、分配コーン２１０、回転研磨ドラム２２０または混合チャンバに連結した回転噴霧器ホイールまたはボウル２１２が含まれ得る。化学処理部分２０６は、入口チューブ２１０を介して種子を処理するための、化学製剤を含む１つまたはそれ以上の樽１０６と連通する。入口チューブ２１０は、図３２ａおよび３２ｂにて描写したような、多数口連結管１３６によって多数の樽１０６に結合可能である。連結管は、多数の入口２２７と１つの出口２２９を有する。カップリング２３１を、供給ステーションからの流体ラインに、入口を連結するために使用し得る。入口チューブには、そこで混合した流体フローをさらに混合するために、内部バッフルまたは混合羽根が含まれ得、したがって混合デバイスを定義する。種子入口２０４は開放または閉鎖ホッパー２１７であり、１つまたはそれ以上のコンベア９５がホッパー内へ、バルク種子貯蔵のための種子を入れてよい。種子処理機に入る種子の量は、コントロールプロセッサ１０２に連結する種子ホイール２０８によって測定される。種子フローまたは流れ２０９が、環状種子流れ内に分散するコーン２１０上に流し込まれる。混合した種子処理製剤が、種子のカーテン上に噴霧される小滴内に流体を霧化または変換する回転ボウル２１２に対して指向される。種子はついで、混合することによってより均一なコーティングが得られる回転ドラム内に指向される。種子処理機は、バッグ２２１または他の顧客容器、トラックの荷台２２３のような容器を満たすために使用してよい出口２１９を有し、例えば理想的には次の２４時間で、小売顧客への配達を提供し、それによって顧客が植付けのために処理した種子を保有する。
【００６７】
さらなる種子処理装置開示が、本明細書で参考によって組み込まれている、米国特許出願公開第２０１１／００２７４７９号明細書にて提供される。
種子処理装置２００は、システムをモニタリングするため、または操作するために、コントロールパネルまたはタッチスクリーン１１２に結合するプロセッサを備えるシステムコントローラ１０２に連結可能である。システムコントローラは、種子ホイール、霧化ホイールまたはボウル、および回転ドラムを制御可能である。
【００６８】
システムコントローラ１０２に連結したそのような種子処理装置２００は、最小の処理製品廃棄物および一定の処理製品の塗布を提供するために、研磨ドラム２０８または混合チャンバに、種子および処理製品の両方の量を釣り合わせるように設計可能である。種子処理システム２００には、センサ、フローメータが含まれ得、および／またはポンプ１０８から出る処理製品の流速と、化学物質塗布器２０６に入るまたは出る種子の測定された容量の両方をモニタリング／制御するための制御が含まれうる。予めプログラム可能なレシピシステム１００に基づいて、種子に塗布された処理製品の量を制御するために、与えられた時間にて、装置２００に適用される処理されるべき種子の量に基づき、処理製品の流速が自動的に調整可能である。したがって、処理製品の流速を感受しているフローセンサと、種子の容量を感受している種子センサが、容量に対する流速の比が、予め決定された最適比または比の範囲の所望の量内ではないことを示唆する場合、システム１００が、種子の流速および／または化学処理製品の容量を自動的に調節可能である。このことにより、種子の容量の、処理製品の量に対する相関が一定に維持されるので、従来のものよりも、種子に対する処理製品のより正確な分布が提供される。
【００６９】
図１ａは、１０の樽ステーション１０４と一対のフレックスタンクステーション１６０を備える種子処理システムの一実施形態を描写している。フレックスタンクステーションには、混合した化学製剤の希釈と、種子処理の前に水と混合される、接種材料のような固体または粉末化成分の添加を求める処理レシピのための水源を含み得る。フレックスタンクには、レシピまたは顧客の特定の要求によって要求されたように、他の成分をシステム１００内に導入するためのポータルを含み得る。ステーション１０４と装置２００間の流体供給ラインは明確化のために示していないが、各ステーション１０４には、装置２００の連結管入口に連結する個々の流体供給ラインが含まれる。例示的な１２の導入連結管１３６が、図３３ｂにて描写されている。典型的な導入連結管が、２〜２０導入の範囲内でありえ、さらなる導入も、より大きな連結管にて提供されうる。連結管１３６は、個々の化学製剤が、種子のバッチへの塗布のために、種子処理装置２００への送達の前に、完全に一緒に混合されるように成型される。
【００７０】
図７は、処理システム１００の実施形態と他のネットワーク化された要素間の種々の通信経路の一実施例の例示的ブロック図である。システム１００は、有線または無線ネットワークを介して、遠隔情報システムおよびデータストア１８０からの種々の電子通信を送信および受信可能である。この通信には、ソフトウェア更新、トランザクションデータ、警告メッセージまたはアラーム、およびレシピおよび製剤情報のマスターデータベースに関連したデータが含まれうる。さらに、カスタマーサービスセンタ１８２、装置サービス部門１８４、個々の種子小売業者１８６、および種子提供会社１８８のような他の事業体がすべて、適切に、遠隔情報システムおよびデータストア１８０からデータを送信および受信可能である。化学物質会社１９０または他の処理システムオーナーまたは卸業者もまた、データを送信および受信可能である。
【００７１】
１つまたはそれ以上の樽ステーション１０４とシステムコントローラ１０２との間の通信の障害が、ユーザーインターフェース１１２にて、バックオフィス報告センタ１９０に、または直接カスタマーサービスセンタ１８２に報告されうる。プログラム可能なシステムコントローラ１０２には、インターネットまたはプライベートネットワークへの信頼の置ける連結を提供する、有線ネットワークインターフェース１９２が含まれうる。インターネットまたは他の有線ネットワーク障害の場合、適切に装備されたシステム１００が、携帯電話モデム１９４のような二次ネットワークを介して、エラー示唆を送信可能である。
【００７２】
システムコントローラ１０２はまた、処理塗布装置設備２００のエラーまたは故障を報告可能でもある。例えば、種子ホイールモータ故障の示唆、またはドラムモータ故障の示唆が、システムコントローラ１０２によって報告され、記録されうる。システムコントローラ１０２と処理装置２００との間の他の通信には、種子のフローを開始または終了させるための、または適切に装備される場合、異なる種子品種の様々なビンまたは容器の１つを選択するためのコマンドが含まれうる。この様式において、化学製剤ならびに種子品種両方を含む完全に自動化された種子処理レシピがすべて、システムコントローラ１０２によって制御可能である。
【００７３】
システムコントローラ１０２は、個々の樽ステーション１０４の操作におけるエラーを減少可能である。例えば、処理塗布装置２００と個々の樽ステーション１０４との間の流体供給ラインが、ポンプ１０８が樽１０６から化学物質を引き出すことが不可能であるように、詰まるかまたはふさがれるようになった場合、システムコントローラ１０２は閉塞を検出可能である。ポンプ１０８が操作される状況において、はかり１１０が、ポンプ１０８の操作速度に比例して、樽１０６の重量の減少を報告すべきである。ポンプ１０８の操作にもかかわらず樽１０６の重量の減少が検出されない場合、警告が発せられるか、またはシステムコントローラ１０２が、閉塞が除去されるまで、活性バッチ処理工程を停止可能である。同様に、ポンプ１０８またはポンプモータが故障するか、または樽１０６から流体を引き出すことが不可能である場合、システムコントローラ１０２が警告またはアラームを発することが可能である。システムコントローラ１０２によって検出された故障状態によって発生する任意の警告またはアラームは、データストア１８０ならびに適切なサービスセンター１８２またはサービス部門１８４に報告されうる。これらの報告は、警告またはアラームの位置、型、時間およびもしあれば可能性のある解決法を示唆する、修復チケットの形態であり得る。
【００７４】
１つの実施形態において、システムコントローラ１０２が、樽１０６中の化学製剤の実際の流速が、一定のポンプ速度を与えられるとすると減少することを引き起こしうる、フィルタ１５０中の物質の段階的な形成に対して適合するために、個々の樽ステーション１０４にて、ポンプ１０８の速度を調節可能である。ポンプ１０８が操作される状態において、はかり１１０が、ポンプ１０８の操作の速度に比例した、樽１０６の重量における減少を報告すべきである。樽１０６の重量の変化速度における減少が一定の時間にわたり減少し、ポンプ１０８の操作速度が一定である場合、警告が発生されるか、またはシステムコントローラ１０２が、ポンプ１０８の速度を増加して、フロー（樽の重量の変化速度）における減少に対して相殺するため、それによって活性バッチ処理工程に対して処理製剤の一定性を維持することが可能である。この様式において、システム１００は、ポンプ操作の間、各樽ステーション１０４での各ポンプ１０８の速度を樽１０６の重量における変化と相関させることによって自己校正可能である。自己校正は、一定の、そして正確な種子処理を提供するために、ＲＦＩＤタグまたはバーコードをスキャンするリーダー１３２によって得られる樽１０６の内容物の濃度と組み合わせることが可能である。
【００７５】
個々のトランザクションを、システム１００によって保管し、システムコントローラ１０２に連結した、コンピュータ読み取り可能ストレージ上の内部データベース内でローカルに維持可能である。トランザクションはまた、リアルタイム、または定期的通信または同期インターバルにて、データストア１８０に報告されうる。トランザクションの例には、種子または化学処理在庫の受領、補充注文、種子処理予測、および個々のバッチに対する種子処理塗布情報が含まれる。
【００７６】
バックオフィスシステム１９０には、統合業務ソフト（ＥＲＰ）、ビジネスインテリジェンス（ＢＩ）、電子データ交換（ＥＤＩ）、サプライチェーンマネジメント（ＳＣＭ）、またはさらなる予測または在庫マネージメント情報を提供可能な、他のソフトウェアプログラムまたはリソースが含まれうる。さらに、バックオフィスシステム１９０は、高度送達通知、種子処理予測に基づいたデマンドプランニング、補充注文、および種子会社インボイスまたは電子取引明細書／請求書に変換される種子処理バッチ情報を提供可能である。
【００７７】
バックオフィスシステム１９０は、化学製剤成分のための在庫供給チェーン、装置効率性、装置サービス情報および記録、さらなる解析と、販売およびマーケティング努力を支持するためのレポーティングのような、内部化学物質供給業者機能を支持するために、「ビジネス  オブジェクト  ダッシュボード」を提供可能である。
【００７８】
ソフトウェア更新には、単離された問題に対する特定の修正であるコードパッチ、またはソフトウェアの完全に新規のリリースが含まれ得る。さらに、システム維持アナウンスが、システムオペレータに維持問題またはお知らせを知らせるか、または思い出させるために提供され得る。
【００７９】
警報は、システムコントローラによって、１つまたはそれ以上のレポーティングセンターに通信されうる。個々のロードはかり失敗およびそのラック位置番号。校正工程の間にゼロに正しく戻るための個々のロードセルまたははかり失敗のラック位置番号が、ユーザーインターフェース１１２でのローカルユーザーと、装置サービス部門１８４両方に対する警告の例でありうる。ポンプ故障により、システム１００インストールの位置、ポンプのラック位置番号、ポンプがサービス中である時間量、ポンプを通して送達された流体の総ガロン数、およびステーション１０４での樽１０６中に含まれる製剤の型が、顧客補助、技術的トラブルシューティングおよび信頼性工学データ解析双方のために、顧客サービスセンター１８２に対する報告書内に全て含まれうる。
【００８０】
図８は、種子処理システム１００を備える個々の小売場所と連結しうる種々の別の場所および供給業者を描写している。少なくとも１つの化学物質供給会社１９０、第一種子小売業者１８６および第二種子供給業者１８８がそれぞれ、小売場所に、化学物質および種子在庫を提供可能である。この在庫は、小売場所にて電気的に、スキャン、記録、確認可能である。システム１００に連結したバーコードリーダーまたはＲＦＩＤ在庫制御システムの利用が、場所化学物質在庫の一部として送達される、各樽１０６を特定可能である。種子配達はまた、同様の様式で、システム中任意に記録可能である。この情報はついで、小売場所および供給業者いずれかから、遠隔場所である、データストア１８０に送信される。供給業者は、適切なネットワークまたはインターネットベースインターフェースを通して、データストア１８０中に保存された在庫データにアクセス可能である。
【００８１】
図９を参照すると、可能性のあるデータストレージと、種子処理システムと遠隔クラウドベースデータストアとの間のトランザクションの例示的ブロック図。オンデマンド種子処理装置の実施形態によって必要とされうる、および発生しうるデータには、様々な供給源および種類があるために、データストア１８０の実施形態は、異なる型のデータへのオーナーシップおよびアクセスをコンパートメント化可能である。例えば、化学物質会社は、商標で守られるべきそのレシピ中の成分製剤の正確な比率を考慮可能であり、一年を通して公に市販された化学物質の情報または量の総集約を露出することを望まない。本例において、レシピ＆材料データは、データストア１８０と個々の処理システム１００間で確実に送信されうる。本様式において、データは、許可されていないアクセスから保護可能である。同様に、種子会社は、データストア１８０と個々のシステム１００間のネットワークコネクションを通して、特定の小売処理場に配達される、各品種に関する、型、大きさ、量または他の情報に関する情報を個々の処理システム１００に提供可能である。
【００８２】
顧客に関する情報がまた、個々の場所に送信可能でもあり、例えば特定の型、量、および種子のバッチに対する処置に対する注文が、種子会社にてオンラインで発生する場合、そのような情報は、受注後の事前の作業および／または配達のために、個々の顧客に最も近い小売種子処理場に転送可能である。最後に、在庫データ、コンタクト情報、警報、修復状態などのような位置特異的情報が、データストア１８０と各位置処理システムとの間で通信可能である。
【００８３】
システム１００の実施形態には、工業または小売環境のために好適なタッチスクリーンパネルを任意に備える、グラフィカルユーザーインターフェース（ＧＵＩ）を含みうる。ＧＵＩには、種々のオプション、コマンド、およびシステム１００を操作およびモニタリングするために必要な情報をユーザー／オペレータに提供する多数のスクリーンを含んでよい。図３２は、システムコントローラ１０２に連結した、例示的タッチスクリーンユーザーインターフェースを描写している。
【００８４】
図１０ａ〜１０ｄは、例示的種子処理システム設定スクリーンを描写している。これらのスクリーンは、適切なディスプレイおよび入力ハードウェアとともに、システム１００インストールのための初期設定情報を入力するために、ユーザーインターフェースを提供可能である。好ましくは本情報は、小売または卸処理場にて、システム１００と装置２００の初期インストールの間に一度入力する必要があるだけである。
【００８５】
図１１ａ〜１１ｄは、スクリーンの下で、種々の描写されたボタンを選択することによって、ユーザー／オペレータが、他のスクリーンに進むことを許容する例示的種子処理システムポンプ状態スクリーンを描写している。これらのスクリーンはまた、システムの状態および操作を描写して、リアルタイムに種々の情報を表示可能である。図１１ａは、ステーション番号１にて、単独のフレックスタンクを描写している。図１１ｂは、ステーション２に位置する第一樽ステーションの添加を描写している。図１１ｃは、種子の５００ポンド量の望ましいバッチ側を描写している。図１１ｄは、ステーション１にてフレックスタンク中の水の欠如による警告状態を描写している。
【００８６】
図１２ａ〜１２ｇは、例示的種子処理システムポンプ詳細スクリーンを描写している。各ステーション１０４は、各ステーションでの樽１０６中に含まれる化学製剤の種類に関連する情報よって設定可能である。この構成によって、システム１００が、交換樽のための樽バーコードデータが、先に使用された樽と関連したデータと適合することを検証することによって、交換樽のみがステーションにてインストールされるのみであることを確認する。他の実施形態において、バーコードデータフィールドは、ＲＦＩＤデータにて交換される。このスクリーンはまた、樽が交換されるかまたは入れ替えられる時に、はかりを校正するための、すなわちゼロにするためのオプションも提供する。
【００８７】
ステーションはかりをゼロにする校正段階を、図１３ａ〜１３ｃに示している。定期的に、正確で明確な重量測定が各樽ステーション１０４にて得られることを確かにするために、各ステーションのはかりを校正することが必要であり得る。例えば、はかりは、クリア可能であり、はかりが公知の質量の試験重量をゼロにした後、図１３ａにて示したような、ゼロポンドの所望の読み取りがはかり上で存在し、はかりが正確な読み取りを提供するように調節可能であり、はかりが不良となった場合、交換されうることを示している。
【００８８】
図１４ａ〜１４ｆは、例示的種子処理システムバッチ処置設定スクリーンを描写している。このスクリーンは、ユーザー／オペレータが、種々の成分と、完全な種子処理バッチデータセットを構築する変数を選択および入力することを許容する。このデータには、種子会社名、作物型、作物品種、種子ロット情報、種子サイズデータ、選択された種子に塗布されるべき種々の化学製剤を特定するレシピ、バッチのサイズ（公知であれば）、顧客名または識別情報、および風速および温度のような環境状況が含まれる。
【００８９】
図１５は、フレックスタンクステーションを設計するためのインターフェースを提供可能な、例示的詳細スクリーンを描写している。フレックスタンクステーションは、描写したような水またはスラリー組成物、あるいは樽フォームファクタまたはドラムフォームファクタ中では利用不可能である化学製剤を提供可能である。いずれの場合においても、ユーザーは、内容物の測定した重量に基づいて、フレックスタンク内容物の正確な塗布を確かにするために、水または他の化学製剤の濃度を入力可能である。化学製剤の濃度は、公知であれば手動で入力可能であり、または樽ステーションに配置された時に、個々の樽に添付されたバーコードまたは他のタグからスキャンした時に自動的に追加されうる。
【００９０】
図１６ａおよび１６ｂは、例示的種子処理システム状態およびコマンドスクリーンを描写している。コマンドスクリーンから、ユーザー／オペレータは、種子処理適用工程を開始および終了、または管理およびモニタリングすることが可能である。
【００９１】
図１７ａ〜１７ｃは、処理装置２００のドラム２０８の速度をモニタリング、操作および調節するための、ユーザーインターフェースを提供する、例示的種子装置ドラム詳細制御スクリーンを描写している。
【００９２】
図１７ｄは、例示的種子ホイール詳細制御スクリーンを描写している。ドラム制御スクリーンと同様に、種子ホイールスクリーンは、未処理種子が処理装置２００内に導入される速度を制御する、処理装置２００の種子ホイールを駆動しているモータの速度を調節するためのユーザーインターフェースを提供する。
【００９３】
図１８は、例示的種子処理システム多ステーション状態スクリーンを描写している。このスクリーンは、各ステーション１０４からポンピングされた流体の量、各ステーション１０４に関する標的流速、各樽中に残っている流体のおよその容量、および種子ホイールに対する標的速度を描写している。さらに、このスクリーンは、種子が、種子処理装置２００に未処理種子を提供するホッパー内に存在することを示唆する。ホッパー内の種子の欠如は、バッチの末端を示唆し、またはオペレータが、化学物質塗布を継続する前に、さらなる未処理種子を導入するように指定する警告を引き起こしうる。
【００９４】
図１９は、例示的警告ログスクリーンを描写している。警告ログスクリーンは、システム１００によって検出されたか、または出される各警告を描写している。警告は、低優先度注意または高優先度警告のいずれかとして分類可能である。各警告には、時間および日付が付けられ、ユーザー／オペレータが、警告の存在を認知したかどうかを示唆可能である。
【００９５】
図２０は、例示的在庫スクリーンを描写している。システム１００は、インストールに利用可能な、または通信中のすべての樽の在庫データベースを維持可能である。在庫情報は、システムコントローラ１０２にて局所で、および遠隔データストア１８０にての両方で維持可能である。ユーザーが所望の種子のバッチ量と処理レシピをシステムコントローラ１０２に入力した時に、レシピのために必要な各化学製剤の必要量と種子量を計算する。在庫が任意の単独化学製剤で不十分な場合、システムコントローラ１０２が、所望のバッチの完了が、さらなる在庫が手元にあるまで完了不可能であることを示唆する警告または注意を提供可能である。
【００９６】
図２１ａ〜２１ｆは、個々の樽ステーション１０４での樽１０６の交換のための段階の順番を描写している。各段階がシステムオペレータに提供され、オペレータが、各段階が，次の段階が始まる前に実施されることを確認することを要求可能である。本様式において、システムは、所望の手順に従っていること、および樽ステーション１０４がそのために設計された製剤以外の化学製剤を含む樽１０６がシステム内に導入されることを検証可能である。図２１ｆはまた、空気を除去するために、新しい樽の後、ステーションポンプ１０８を駆動することによって、樽ステーションでの流体ラインを準備するために、システムオペレータのためにインターフェースを提供する。新規樽は潜在的に、種子処理の前に流体供給ラインから抽出されるべきである樽中の内部ディップチューブの上部に空気を有し得る。
【００９７】
システム１００の実施形態には、小売種子処理機および処理した種子の最終製品顧客の両方に関連したデータを管理、閲覧するためのインターフェースを含みうる。
図２２は、例示的オンラインログインスクリーンを描写している。顧客および在庫データへのアクセスは、個人、グループ、小売業者、提供業者または必要に応じて他の事業体に対して厳密に制御可能である。
【００９８】
図２３は、小売種子処理機およびそれらのコンタクト情報を描写する例示的オンラインユーザーリストスクリーンを描写している。
図２４は、顧客名、住所、コンタクト情報およびアカウント番号を含む、例示的オンライン顧客リストスクリーンを描写している。
【００９９】
図２５は、個々の小売業者の現在の在庫レベルを描写している例示的オンライン在庫スクリーンを描写している。本情報は、小売業者の在庫が、種子適用バッチによって枯渇する時に、小売業者の種子処理システム１００へのネットワークおよび情報システム連結を通して、ダイナミックに更新可能である。
【０１００】
図２６は、小売業者に、所望の化学物質の型および量を特定するためのインターフェースを提供する、例示的オンライン注文フォームスクリーンを描写している。
図２７は、化学物質供給業者および小売種子処理機の両方が、処理成分の在庫配達を追跡し、モニタリングすることを許容する、例示的オンライン配送追跡スクリーンを描写している。
【０１０１】
図２８は、例示的オンライン配達受領報告スクリーンを描写している。本スクリーンは、小売種子処理機が、注文し、受領した配達の受領を確認することを許容する。本様式において、小売業者の在庫が、化学物質供給業者から、配達を通して、最終的には種子処理適用バッチにおける利用まで追跡可能である。
【０１０２】
図２９は、例示的オンライン種子品種在庫スクリーンを描写している。在庫スクリーンは、多数の種子品種と、種子名、生産会社、種子型、種子材料コードおよび記述を含む情報を描写可能である。種子在庫は、小売場所での現在の在庫を描写可能であり、または小売業者によって注文可能な種子型のリストを提供可能である。
【０１０３】
図３５を参照すると、本発明の種々の様態を実施するための例示環境１０００には、コンピュータ１０１２が含まれる。コンピュータ１０１２には、プロセシングユニット１０１４、システムメモリ１０１６およびシステムバス１０１８が含まれる。システムバス１０１８は、システムメモリ１０１６を含むが限定はしないシステム成分を、プロセシングユニット１０１４に連結する。プロセシングユニット１０１４は、任意の種々の利用可能なプロセッサであってよく、マルチプロセッサアーキテクチャもまたプロセシングユニット１０１４として利用可能である。
【０１０４】
システムバス１０１８は、インテリジェントドライブエレクトロニクス（ＩＤＥ）、ペリフェラルコンポーネントインターコネクト（ＰＣＩ）、ユニバーサルシリアルバス（ＵＳＢ）、およびスモールコンピュータシステムインターフェース（ＳＣＳＩ）を含むがこれらに限定はされない、任意の種々の利用可能なバスアーキテクチャを用いる、メモリバスまたはメモリコントローラ、末梢バスまたは外部バス、および／またはローカルバスを含む、任意のいくつかの型のバス構造（１つ又は複数）でありうる。
【０１０５】
システムメモリ１０１６には、揮発性メモリ１０２０および不揮発性メモリ１０２２が含まれる。起動中のようなコンピュータ１０１２内のエレメント間の情報を移動するための基本ルーティンを含む基本出入力システム（ＢＩＯＳ）が、不揮発性メモリ１０２２中に保存される。例示のために、ただし制限ではなく、不揮発性メモリ１０２２には、読み出し専用メモリ（ＲＯＭ）、プログラム可能ＲＯＭ（ＰＲＯＭ）またはフラッシュメモリが含まれうる。揮発性メモリ１０２０には、ランダムアクセスメモリ（ＲＡＭ）が含まれる。コンピュータ１０１２はまた、リムーバブル／非リムーバブル、揮発性／不揮発性コンピュータ保存メディア、例えばディスクストレージ１０２４を含む。
【０１０６】
図３５が、ユーザーと好適なオペレーティング環境１０００中で記述された基本コンピュータリソース間の媒介として働くソフトウェアを記述していることが理解されるべきである。そのようなソフトウェアには、オペレーティングシステム１０２８が含まれる。ディスクストレージ１０２４上に保存可能なオペレーティングシステム１０２８が、コンピュータシステム１０１２のリソースを制御および割り当てるために働く。システムアプリケーション１０３０は、システムメモリ１０１６またはディスクストレージ１０２４のいずれかに保存されたプログラムモジュール１０３２およびプログラムデータ１０３４を通して、システム１０２８を操作することによる、リソースのマネージメントの利点を有する。本発明は、種々のオペレーティングシステムまたはオペレーティングシステムの組み合わせで実行可能であることが理解されるべきである。
【０１０７】
ユーザーが、入力デバイス(１つ又は複数)１０３６を通して、コンピュータ１０１２内にコマンドまたは情報を入力する。入力デバイス１０３６には、マウス、スタイラスペン、タッチパッド、キーボード、マイクロフォン、スキャナ、デジタルカメラ、ウェブカメラなどのポインティングデバイスが含まれるが、これらに限定はされない。これらおよび他の入力デバイスは、インターフェースポート（１つ又は複数）１０３８を介して、スタイルバス１０１８を通して、プロセシングユニット１０１４に連結する。インターフェースポート（１つ又は複数）１０３８には、例えばシリアルポート、パラレルポートおよびユニバーサルシリアルバス（ＵＳＢ）が含まれる。出力デバイス（１つ又は複数）１０４０は、入力デバイス（１つ又は複数）１０３６と同一の型のポートのいくつかを利用する。したがって、例えば、ＵＳＢポートを、コンピュータ１０１２への入力を提供するため、およびコンピュータ１０１２から出力デバイス１０４０へ情報を出力するために使用してよい。出力アダプタ１０４２が、特定のアダプタを必要とする、他の出力デバイス１０４０の内、モニタ、スピーカおよびプリンタのようないくつかの出力デバイス１０４０が存在することを図示するために提供される。出力アダプタ１０４２には、例示を目的としたもので制限ではなく、出力デバイス１０４０とシステムバス１０１８間の連結の方法を提供するビデオおよびサウンドカードが含まれる。他のデバイスおよび／またはデバイスシステムが、リモートコンピュータ１０４４のような入力機能および出力機能の両方を提供する。
【０１０８】
コンピュータ１０１２は、リモートコンピュータ（１つ又は複数）１０４４のような、１つまたはそれ以上のリモートコンピュータへのロジカル連結を用いて、ネットワーク化された環境中で操作可能である。リモートコンピュータ（１つ又は複数）１０４４は、パーソナルコンピュータ、サーバ、ルータ、ネットワークＰＣ、ワークステーション、マクロプロセッサベースアプライアンス、ピアデバイスまたは他の共通ネットワークノードなどであってよく、典型的には、コンピュータ１０１２に関して記述された多くの、またはすべてのエレメントが含まれる。簡潔の目的のために、メモリストレージデバイス１０４６のみが、リモートコンピュータ（１つ又は複数）１０４４にて図示されている。リモートコンピュータ（１つ又は複数）１０４４は、ネットワークインターフェース１０４８を介してコンピュータ１０１２にロジカルに連結し、ついで通信連結１０５０を介して物理的に連結する。ネットワークインターフェース１０４８は、ローカルエリアネットワーク（ＬＡＮ）およびワイドエリアネットワーク（ＷＡＮ）のような有線および／または無線通信ネットワークを包含する。ＬＡＮ技術には、光ファイバー分散データインターフェース（ＦＤＤＩ）、イーサネットなどが含まれる。ＷＡＮ技術には、点対点リンク、統合デジタル通信網（ＩＳＤＮ）およびその変種のような回路スイッチネットワーク、パケットスイッチングネットワーク、およびデジタル加入者回線（ＤＳＬ）が含まれるが、これらに限定はされない。
【０１０９】
本発明の実施形態は、樽１０６の再利用、および化学製剤の本質的な枯渇に際して、任意の化学物質残余物または使用されない製剤を提供する。使用の前に、満杯の樽１０６中の元の内容物の重量を記録することによって、塗布の間の連続した重量測定を介して、化学製剤の利用をモニタリングおよび記録すること、およびステーション１０４からのその除去と、処理設備への返還に際して、樽１０６の重量を記録することによって、樽完全性の検証、および内容物製剤品質を提供されうる。樽１０６、樽攪拌子成分および／または任意の樽ポートまたは弁成分のリサイクルまたは再利用が、化学製剤供給の総コストを減少可能である。ファイリング、配達、利用、返還および再利用からの配送サイクルを通した、樽１０６とその内容物の適切な取り扱いを通した環境保護が、各個々の樽１０６の追跡を含む本発明の実施形態によって提供される。各樽１０６の追跡は、各樽１０６に対する、場所、一意的な識別番号、バーコードまたはＲＦＩＤタグデータを含む、各樽１０６の在庫データベースを維持することによって達成可能である。過剰な化学物質および樽の損失防止を、各樽１０６およびその内容物の場所の完全な追跡記録が維持されるので、追跡、モニタリングおよび修理可能である。
【０１１０】
本発明の実施形態には、各樽または容器内の化学製剤の種々の公称量を提供すること、各容器内のその公称量を記録することによって、化学製剤の利用を追跡する方法が含まれる。例えば、化学物資供給業者は、容器をみたすことが可能であり、容器は、示された容量以上の公称量の化学製剤で、一意的な識別子と、示された容量以上の実際の容量を含み、容器と、容器内の化学製剤のもともとの重量を記録する。一意的な識別子と、容器のもともとの重量を記録することによって、化学物質供給業者は、顧客に容器内で調製され、配送された化学製剤の正確な量を含む情報のデータベースを維持可能である。
【０１１１】
図３７は、一意的な識別子を提供する個々の樽１０６に添付可能な例示的バーコードラベル３００を描写している。実際のバーコードは、スペースまたは丸括弧を含まない。これらは、人が読み取り可能なテキストを明確化するために、図中に含まれる。適用識別子（ＡＩ）は、以下のデータが何を表すかを示している。
【０１１２】
これは、例示的な固定された長さのバーコードであるが、いくつかの樽製剤が、異なる長さのバッチ数字を有してよく、バーコードの末端にてシリアル番号部分を有さなくてよい。本発明の１つの実施形態において、固定された１０文字バッチ数字には先頭の複数のゼロを付加され、４文字シリアル数字が使用される。
【０１１３】
国際貿易物品番号（ＧＴＩＮ）は、典型的には１４文字である。全ＧＴＩＮ−１４を、材料の識別のために使用可能であり、いくつかのサブパートまたはフィールドを含んでよい。第一数字は、パッケージサイズをコードし、ゼロは最も小さな密封可能ユニットを表し、この場合１５ガロン樽である。次の７つの数字は、ＧＳ１  Ｃｏｍｐａｎｙ  Ｃｏｄｅを表し、例えば０７８５７４０は、バイエルクロップサイエンス（Ｂａｙｅｒ  Ｃｒｏｐ  Ｓｃｉｅｎｃｅ）についてのコードである。次の５数字は、ＵＣＣ製品コードを表し、この例では、１２９３８が、Ａｌｌｅｇｉａｎｃｅ  ＦＳ３１０  １Ｘ１５ＧＡＬ  ＤＲＭ  ＵＳに対するコードである。最後の数字は、チェック数字であり、本例では８である。
【０１１４】
種子処理システム１００のような、化学物質塗布システムの実施形態の利用により、容器からの化学製剤の引き出しを遠隔でモニタリングし、化学製剤が引き出された時に、容器の重量における変化をモニタリングすることによって、容器から引き出した化学製剤の量を記録するための機構が、化学物質供給業者に提供されうる。化学製剤の量が容器から引き出された後に返還された容器の受領に際して、化学物質供給業者は再び容器の重量を測定し、受領した容器の重量と、容器内に残っている化学製剤の量を記録可能である。受領した容器の重量と、容器から引き出された化学製剤の量の重量を、容器のもともとの重量と比較することによって、化学物質供給業者は、化学製剤が、環境または契約要求と一致しない様式で、改ざんされた、流出した、希釈された、または使用されたかどうか決定可能である。
【０１１５】
容器の固有の識別子、化学製剤、顧客、卸業者、容器のもともとの重量、化学製剤の公称量、化学製剤の引き出し量、および受領した容器の重量を含む報告の製造により、化学製剤の取り扱いまたは利用における任意の不正の調査が可能な追跡記録が提供されうる。
【０１１６】
種々の実施形態は、化学物質を開封し、手動で注ぎ出すといった手動による液体種子処理化学物質へのアクセスを防止する指示を提供可能であり、それによって化学物質がこぼれたり汚染されたりする可能性を減少させる。指示は、樽ステーション上に配置されず、適切なクイックコネクタに結合していない場合、樽上の閉鎖を維持するために提供されうる。
【０１１７】
図３６は、末端顧客のための種子のバッチを処置するための工程の例示的フローダイアグラムを描写しており、実際に末端顧客の種子に塗布された処理化学物質の量のみについて当該顧客に正しく請求する。販売における種々の段階と、種子処理バッチ中で使用される化学成分の請求書には以下が含まれる。
・処理レシピを選択しているユーザー。
・ローカルデータベース中の在庫チェックが、レシピによって要求された製剤の存在に関して実施される。
・製剤（１つ又は複数）がストック切れである場合、当該製剤を注文し、販売は、その成分を仕入れるまで延期されるか、または代替のレシピが選択可能になる。
・十分なストックがある場合、レシピの選択に際して、各個々の樽／ポンプステーションでの各製剤樽の重量が測定され、重量がデータベース中で記録される。
・製剤（１つ又は複数）が、選択されたレシピ中に特定された比率にしたがって、種子バッチに塗布される。
・塗布工程の間、各ステーションからのポンプおよびメモリデータが記録される。
・樽交換が塗布の間に空の樽を交換する必要がある場合、塗布工程が交換の間中断されるか、同一の化学製剤を供給するために第二樽ステーション設定を利用する。
・塗布工程の完了に際して、最終ポンプとはかりデータが再び記録に取られ、ステーションでの各樽の重量と、種子バッチに塗布された製剤の得られた重量を記録する。
・種子バッチに塗布された製剤の容量を、製剤の相当するコストとともに計算する。
・請求書を、各化学製剤の量に対して、および種子バッチに適用したレシピの総コストに対して作成する。
【０１１８】
図３７は、処理適用工程の間、各個々のポンプの流速を調節するための、工程の例示的フローダイアグラムを描写している。個々の化学成分処理の自動調節における種々の段階には以下が含まれうる。
・個々の樽またはユーザーが入力した値から、処理レシピ中の各成分の密度を読み出すこと
・処理レシピによって要求された成分を含む、各樽の重量を測定すること
・処理レシピによって特定された速度にて、各成分を塗布すること
・塗布工程の間、各樽の重量における変化をモニタリングすること
・読み出された密度情報を用いること、各樽の重量における変化を、予想された成分塗布速度と、ポンプの速度に対して比較すること
・処理レシピ中で特定された塗布速度が達成されるまで、ポンプ速度を調節すること
・全処理適用工程の間、各成分の処理速度のモニタリングを続けること
１つの実施形態において、図３７にて描写された工程には、処理製剤の濃度を制御するために、水を個々の処理成分と混合する速度を調整することが含まれうる。水注入速度を、処理装置を通して流れている種子の速度の増加または減少、天気ステーション要素によって感知されたような環境の相対湿度、種子処理装置に入るか、または存在する種子から得られた水分読み取りに対する応答、または種子処理装置から新たに発生している種子の水分含量を手動で増加または減少させるためのオペレータコマンドに対する応答にて調節可能である。
【０１１９】
上記実施形態は、例示の意図であるが、制限ではない。さらなる実施形態が請求項の範囲内である。さらに、本発明の様態が特定の実施形態にしたがって記述されるが、当業者が、請求項によって定義されたように、本発明の精神および範囲から逸脱することなしに、変化を形式上または詳細に実施可能であることを認識する。
【０１２０】
当業者は、本発明が、以上で記述した任意の個々の実施形態中で例示されるものよりもより少ない特徴を含んでよいことを認識するであろう。本明細書で記述した実施形態は、本発明の種々の特徴を組み合わせてよい方法を網羅した提示であることを意味しない。したがって、実施形態は、特徴の互いに排他的な組み合わせではなく、本発明は、当業者によって理解されるように、異なる個々の実施形態から選択された異なる個々の特徴の組み合わせを含んでよい。本発明の実施形態はまた、液体製品の正確なカスタム混合が望まれるか、または要求される適用のような、種子処理以外の領域での適用もまた有する。例えば、カスタム混合が、種子処理装置に連結することなしに、本発明の実施形態で提供可能である。カスタム種子処理機または種子会社事業体が、いくつかの成分の混合を必要とするレシピを使用可能である。レシピを、本発明の実施形態に対して、ネットワークを通して送信可能であり、続いてそれらのそれぞれの樽から材料を共通貯蔵庫に正確に放出し、それに際して成分が、カスタム混合した種子処理組成物を製造するために回収される。その時点またはそれ以降、カスタム混合した種子処理組成物を保存するか、移すことが可能である。必要ならば、組成物を、適切なシステムに、適切な部分に供給可能である。そのようなシステムは、種子をコーティングするために装備可能であり、それに際して、カスタム混合した混合物を種子に塗布するか、いくつかの他の好ましい利用または適用に適用する。
【０１２１】
以上の本願の参考による任意の組み込みが、本明細書の明確な開示と反対である対象を組み込まないように制限される。上記本願の参考による任意の組み込みがさらに、本願に含まれる請求項が、本明細書にて参考によって組み込まれないようにさらに制限される。上記本願の参考による任意の組み込みがさらに、本願にて提供された定義が、本明細書に表示して含まれない限り、本明細書にて参考によって組み込まれないように制限される。
【図１ａ】
2014501519.tif 000003
【図１ｂ】
2014501519.tif 000004
【図４ａ】
2014501519.tif 000005
【図４ｂ】
2014501519.tif 000006
【図４ｅ】
2014501519.tif 000007
【図４ｆ】
2014501519.tif 000008
【図５】
2014501519.tif 000009
【図６】
2014501519.tif 000010
【図１０ａ】
2014501519.tif 000011
【図１０ｂ】
2014501519.tif 000012
【図１０ｃ】
2014501519.tif 000013
【図１０ｄ】
2014501519.tif 000014
【図１１ａ】
2014501519.tif 000015
【図１１ｂ】
2014501519.tif 000016
【図１１ｃ】
2014501519.tif 000017
【図１１ｄ】
2014501519.tif 000018
【図１２ａ】
2014501519.tif 000019
【図１２ｂ】
2014501519.tif 000020
【図１２ｃ】
2014501519.tif 000021
【図１２ｄ】
2014501519.tif 000022
【図１２ｅ】
2014501519.tif 000023
【図１２ｆ】
2014501519.tif 000024
【図１２ｇ】
2014501519.tif 000025
【図１３ａ】
2014501519.tif 000026
【図１３ｂ】
2014501519.tif 000027
【図１３ｃ】
2014501519.tif 000028
【図１４ａ】
2014501519.tif 000029
【図１４ｂ】
2014501519.tif 000030
【図１４ｃ】
2014501519.tif 000031
【図１４ｄ】
2014501519.tif 000032
【図１４ｅ】
2014501519.tif 000033
【図１４ｆ】
2014501519.tif 000034
【図１５】
2014501519.tif 000035
【図１６ａ】
2014501519.tif 000036
【図１６ｂ】
2014501519.tif 000037
【図１７ａ】
2014501519.tif 000038
【図１７ｂ】
2014501519.tif 000039
【図１７ｃ】
2014501519.tif 000040
【図１７ｄ】
2014501519.tif 000041
【図１８】
2014501519.tif 000042
【図１９】
2014501519.tif 000043
【図２０】
2014501519.tif 000044
【図２１ａ】
2014501519.tif 000045
【図２１ｂ】
2014501519.tif 000046
【図２１ｃ】
2014501519.tif 000047
【図２１ｄ】
2014501519.tif 000048
【図２１ｅ】
2014501519.tif 000049
【図２１ｆ】
2014501519.tif 000050
【図２２】
2014501519.tif 000051
【図２３】
2014501519.tif 000052
【図２４】
2014501519.tif 000053
【図２５】
2014501519.tif 000054
【図２６】
2014501519.tif 000055
【図２７】
2014501519.tif 000056
【図２８】
2014501519.tif 000057
【図２９】
2014501519.tif 000058
【図３２】
2014501519.tif 000059
【図３３】
2014501519.tif 000060
【図３４】
2014501519.tif 000061
【図２ａ】
2014501519.tif 000062
【図２ｂ】
2014501519.tif 000063
【図３ａ】
2014501519.tif 000064
【図３ｂ】
2014501519.tif 000065
【図３ｃ】
2014501519.tif 000066
【図４ｃ】
2014501519.tif 000067
【図４ｄ】
2014501519.tif 000068
【図７】
2014501519.tif 000069
【図８】
2014501519.tif 000070
【図９】
2014501519.tif 000071
【図３０】
2014501519.tif 000072
【図３１】
2014501519.tif 000073
【図３５】
2014501519.tif 000074
【図３６】
2014501519.tif 000075
【図３７】
2014501519.tif 000076
【図３８】
2014501519.tif 000077
【国際調査報告】
2014501519.tif 000078
2014501519.tif 000079
2014501519.tif 000080
2014501519.tif 000081